(57)【要約】【課題】洗浄後の局部等を乾燥する乾燥機構を備えた衛生洗浄装置において、使用者に対して過剰な冷たさおよび熱さを与えることなく、短時間で効率よく被洗浄面を乾燥できるようにする。【解決手段】衛生洗浄装置は、局部等の洗浄の後に、当該局部に温風を送風する温風乾燥部と、当該局部に空気を噴射する空気噴射部とを有する。温風乾燥部は、温風を生成する温風生成部と、温風を局部に向かって送風する温風送風口を有する先端部と、温風生成部からでる温風を先端部に供給する温風供給管とを有する。温風乾燥部の先端部は、その温風送風口から出る温風の進行方向が、ノズルの軸の方向に略平行であり、かつ、空気噴出口から噴出される加圧空気の進行方向と交わるように、ノズルの側面に沿って配置されている。【選択図】図６
2011074575.tif 000002
【特許請求の範囲】
【請求項１】
着座面を有する便座部と、
前記便座部に着座する使用者の局部に対して洗浄水を噴出する洗浄水噴出部と、
前記洗浄水噴出部による前記洗浄水の噴出の後に、前記使用者の前記局部およびその周囲に対して加圧空気を噴出する空気噴出口を先端部に有する筒状のノズルを有する空気噴射部と、
前記ノズルをその軸の方向に進退可能に支持するノズル支持部と、
前記ノズル支持部に固定されており、前記ノズルを前記軸方向に進退駆動する進退駆動手段と、
温風を生成する温風生成部と、前記温風を前記使用者の前記局部に向かって送風する温風送風口を有する先端部と、前記温風生成部からでる前記温風を前記先端部に供給するための温風供給管と、を有する温風乾燥部と、
前記温風乾燥部が温風を生成し、前記空気噴射部による空気の噴出の開始と同時又は空気の噴出の開始の前に、前記温風の送風を開始するように、前記空気噴射部及び前記温風乾燥部を少なくとも制御する制御部と、
を有しており、
前記温風乾燥部の前記先端部は、その温風送風口から出る前記温風の進行方向が、前記ノズルの前記軸の方向に略平行であり、かつ、前記空気噴出口から噴出される前記加圧空気の進行方向と交わるように、前記ノズルの側面に沿って配置されている、
衛生洗浄装置。
【請求項２】
ノズル支持部は、前記ノズルが通過できる内径を有する貫通孔が形成されたノズルガイド部を有しており、
前記温風乾燥部の前記温風供給管の下流部分の一部が前記ノズルガイド部に接続されており、前記温風乾燥部の前記先端部が前記ノズルガイド部内に形成されており、前記温風送風口が前記ノズルガイド部の前記貫通孔の近傍に形成されている
請求項１に記載の衛生洗浄装置。
【発明の詳細な説明】
【技術分野】
【０００１】
本発明は、人体の局部等を温水等の洗浄水で洗浄する衛生洗浄装置に関し、特に、洗浄後の濡れた局部等の表面を、空気の噴出と温風の送風により乾燥させるための乾燥機構を備えた衛生洗浄装置に関する。
【背景技術】
【０００２】
人体の局部等を洗浄する衛生洗浄装置の技術分野においては、使用者の好みに応じた洗浄を実現すべく各種の機能を付与することが提案されている。このような機能を有する衛生洗浄装置であれば、使用者は、快適な局部の洗浄を行うことができる。ただし、局部を洗浄した後、使用者は、トイレットペーパー等の衛生紙を用いて局部に付着した水滴を除去していた。そこで、近年では、衛生紙を用いることなく局部に付着した水滴を除去するために、衛生洗浄装置に乾燥機能を付与することが提案されている。
【０００３】
例えば、特許文献１には、温風を吹き出す乾燥機構に加えて、使用者の被洗浄部位（局部等）に付着している水滴（残留付着水滴）を飛散または拡散させる空気噴射手段を備えた衛生洗浄装置が提案されている。図１８は、特許文献１に開示されている衛生洗浄装置の上面図であり、図１９は、当該衛生洗浄装置の部分断面図である。
【０００４】
図１８および図１９に示すように、特許文献１に開示されている衛生洗浄装置は、便器５０１上に配置された便座５０２、便蓋５０３、衛生洗浄装置の本体ケース５０４および水洗タンク（ロータンク）５０９を備えている。本体ケース５０４には、温風吹出し装置５０５、洗浄水噴射ノズル５０８、洗浄水圧送用ポンプ５１１、温水タンク５１２、空気圧縮機５１３、高圧空気溜め５１４、電磁弁５１５が内蔵されている。温風吹出し装置５０５は、風路５０６および温風吹出し口５０７を有し、局部に温風を吹き出すよう構成されている。洗浄水噴射ノズル５０８は、局部に温水を噴射する。洗浄水送水用ポンプ５１１および温水タンク５１２は、洗浄水噴射ノズル５０８に温水を供給する。空気圧縮機５１３は空気を圧縮し、高圧空気溜め５１４は、圧縮された高圧空気を溜めておく。電磁弁５１５は、高圧空気溜め５１４に接続されるとともに、高圧ホース５１７にも接続されている。
【０００５】
便座５０２には、内部に空洞５１６が設けられ、さらに、便座５０２の内側の縁部には、複数の空気噴出ノズル５１８が、空洞５１６につながるように設けられている。空洞５１６は、高圧ホース５１７を介して電磁弁５１５に接続されている。電磁弁５１５が開くと、高圧空気溜め５１４から高圧空気が高圧ホース５１７を介して空洞５１６に送出され、空洞５１６につながる空気噴出ノズル５１８から高圧空気が噴出される。つまり、前記構成の衛生洗浄装置では、空気圧縮機５１３、高圧空気溜め５１４、電磁弁５１５、高圧ホース５１７、便座５０２内の空洞５１６、空気噴出ノズル５１８により、空気噴射手段が構成されている。
【０００６】
人体５１０が便座５０２に着座し、用便の後、洗浄操作を行うと、洗浄水送水用ポンプ５１１が動作し、温水タンク５１２を通して洗浄水噴射ノズル５０８より温水が被洗浄面に噴射され、これにより局部が洗浄される。洗浄の後、乾燥操作により空気圧縮機５１３が動作し、高圧空気溜め５１４、電磁弁５１５、高圧ホース５１７、空洞５１６および空気噴出ノズル５１８を通して高圧空気が局部近傍に噴出され、局部に付着した水滴を吹き飛ばして飛散または拡散させる。つぎに温風吹出し装置５０５が動作し、風路５０６を介して温風吹出口５０７から温風が局部近傍に吹き出され、局部近傍が乾燥される。
【０００７】
衛生洗浄装置が乾燥機構のみを備えている構成であれば、温風吹出しによる局部の乾燥には数分間を要することになる。そこで、乾燥時間を短縮するために温風温度を高くするとともに風量を増加させると、使用者にとっての温熱感が強過ぎ、実用に適さないという課題が生じていた。特許文献１に開示される衛生洗浄装置においては、上記のような空気噴射手段を備えることにより、乾燥時間を大幅に短縮することが意図されている。
【先行技術文献】
【特許文献】
【０００８】
【特許文献１】特開昭５８−２１８５３１号公報
【発明の概要】
【発明が解決しようとする課題】
【０００９】
しかしながら、空気噴射手段を備える構成の従来の衛生洗浄装置においては、加圧空気の噴射によって使用者が冷たさを感じるという不具合が生じており、改善の余地があった。
【００１０】
例えば、特許文献１に開示される衛生洗浄装置では、空気圧縮機５１３から高圧空気溜め５１４に一旦空気を貯留すると、加圧時に加熱された空気は高圧空気溜め５１４からの放熱によって冷却されてしまう。そのため、高圧空気を空気噴出ノズル５１８から開放する際に、空気の膨張により熱が奪われて、使用者に極度の冷感を与えてしまう場合がある。さらに、人体局部に付着する水滴が蒸発することから、人体から水の気化熱（潜熱）に相当する熱量が奪われるため、さらに冷たさを感じてしまう。
【００１１】
本発明は、上記従来技術の有する課題に鑑みてなされたものであり、洗浄後の局部等を乾燥する乾燥機構を備えた衛生洗浄装置において、使用者に対して過剰な冷たさおよび熱さを与えることなく、短時間で効率よく被洗浄面を乾燥できるようにする衛生洗浄装置を提供することを目的とする。
【課題を解決するための手段】
【００１２】
上記従来技術の有する課題を解決するために、本発明は、
着座面を有する便座部と、
便座部に着座する使用者の局部に対して洗浄水を噴出する洗浄水噴出部と、
洗浄水噴出部による前記洗浄水の噴出の後に、使用者の前記局部およびその周囲に対して加圧空気を噴出する空気噴出口を先端部に有する筒状のノズルを有する空気噴射部と、
ノズルをその軸の方向に進退可能に支持するノズル支持部と、
ノズル支持部に固定されており、ノズルを軸方向に進退駆動する進退駆動手段と、
温風を生成する温風生成部と、温風を使用者の局部に向かって送風する温風送風口を有する先端部と、温風生成部からでる温風を先端部に供給するための温風供給管と、有する温風乾燥部と、
温風乾燥部が温風を生成し、空気噴射部による空気の噴出の開始と同時又は空気の噴出の開始の前に、温風の送風を開始するように、空気噴射部及び前記温風乾燥部を少なくとも制御する制御部と、
を有しており、
温風乾燥部の先端部は、その温風送風口から出る温風の進行方向が、ノズルの軸の方向に略平行であり、かつ、空気噴出口から噴出される加圧空気の進行方向と交わるように、ノズルの側面に沿って配置されている、
衛生洗浄装置を提供する（請求項１）。
【００１３】
上記の構成により、温風乾燥部の先端部に形成された温風送風口からでる温風は、ノズルの側面に沿って進行し、空気噴出口から噴出される加圧空気（の流れ）に合流してその
進行方向を変えて、加圧空気とともに使用者の局部に向かうことになる。
【００１４】
そのため、先に述べた従来の衛生洗浄装置に比較して、使用者の局部には加圧空気に加えて温風がピンポイントで効率よく当たることになる。これにより、本発明の衛生洗浄装置によれば、使用者に対して過剰な冷たさおよび熱さを与えることなく、短時間で効率よく被洗浄面を乾燥することができるようになる。
【００１５】
また、本発明の衛生洗浄装置は、従来に比較して温風を送風する範囲を狭くして風量を低減することができるので、温風生成部の小型軽量化（温風ファンなどの小型軽量化）、温風生成部の熱量削減（加熱ヒータなどの熱量削減）をすることもできる。
【００１６】
ここで、本発明において、「被洗浄面」の範囲は、人体局部およびその周辺のうち使用者の排泄により汚れうる範囲であることが好ましい。この「被洗浄面」の範囲は、使用者の体型の分布、便器の大きさ、便器の形状、洗浄水の吐出量範囲、洗浄水の吐出圧範囲などを考慮して、実験及びシミュレーションのうちの何れかにより予め求めて設定しておいてもよい。また、この「被洗浄面」の範囲は、排泄により汚れうる範囲を検知可能なセンサなど
（排泄物中の水分などを検知する赤外線センサなど）により、使用者が衛生洗浄装置を使用する度毎にセンシングして最適な範囲を求める構成としてもよい。
【００１７】
また、ここで、本発明において、「被乾燥面」の範囲は、人体局部及びその周辺のうち洗浄水により洗浄処理された際に洗浄水で濡れうる範囲であることが好ましい。さらに、「被乾燥面」の範囲（面積）が「被洗浄面」の範囲（面積）以上であり、かつ、「被乾燥面」に被洗浄面の全範囲が含まれるよう設定されていることが好ましい。なお、この「洗浄水で濡れうる範囲」には、通常、上述の「被洗浄面」の範囲、すなわち、「人体局部およびその周辺のうち使用者の排泄により汚れうる範囲」が含まれるが、「洗浄水で濡れうる範囲」に「被洗浄面」の範囲が含まれない場合には、「被乾燥面」の範囲は、「洗浄水で濡れうる範囲」と「被洗浄面」の範囲とを含む範囲であることが好ましい。
【００１８】
この「被乾燥面」の範囲は、使用者の体系の分布、便器の大きさ、便器の形状、加圧空気の吐出量範囲、加圧空気の吐出圧範囲などを考慮して、実験及びシミュレーションのうちの何れかにより予め求めて設定しておいてもよい。また、この「被乾燥面」の範囲は、洗浄水で濡れうる範囲を検知可能なセンサなど（水分を検知する赤外線センサなど）により、使用者が衛生洗浄装置を使用する度毎にセンシングして最適な範囲を求める構成としてもよい。
【００１９】
また、先に述べた本発明の効果をより確実に得る観点から、本発明の衛生洗浄装置においては、ノズル支持部は、ノズルが通過できる内径を有する貫通孔が形成されたノズルガイド部を有しており、温風乾燥部の温風供給管の下流部分の一部がノズルガイド部に接続されており、温風乾燥部の先端部がノズルガイド部内に形成されており、温風送風口がノズルガイド部の貫通孔の近傍に形成されていることが好ましい（請求項２）。
【００２０】
本発明の上記目的、他の目的、特徴、及び利点は、添付図面参照の下、以下の好適な実施態様の詳細な説明から明らかにされる。
【発明の効果】
【００２１】
本発明の衛生洗浄装置は、洗浄後の局部等を乾燥する乾燥機構を備えた構成において、使用者に対して過剰な冷たさおよび熱さを与えることなく、短時間で効率よく被洗浄面を乾燥できるようになる。
【図面の簡単な説明】
【００２２】
【図１】本発明の第１実施形態に係る衛生洗浄装置とこれを備えるトイレ装置の外観構成を模式的に示す斜視図
【図２】図１に示した衛生洗浄装置における本体部及び遠隔操作部の制御系統を模式的に示すブロック図
【図３】図１に示した衛生洗浄装置における遠隔操作部の一例を示す正面図
【図４】図１に示した衛生洗浄装置における洗浄水噴出部の模式的な構成と制御系統の概要とを示すブロック図
【図５】図１に示した衛生洗浄装置における温風乾燥部および空気噴射部の模式的な構成と制御系統の概要とを示すブロック図
【図６】図１に示した衛生洗浄装置における共用ノズル部の具体的な構成を示す斜視図
【図７】図１に示した衛生洗浄装置における制御部の具体的な構成と、温風乾燥部および空気噴射部の要部を制御する構成とを示すブロック図
【図８】図１に示した衛生洗浄装置における洗浄動作および乾燥動作の制御の一例を示すタイムチャート
【図９】（ａ）図１に示した衛生洗浄装置における共用ノズル部による洗浄動作の一例を示す模式的断面図（ｂ）図１に示した衛生洗浄装置における共用ノズル部による空気噴射動作の一例を示す模式的断面図（ｃ）図１に示した衛生洗浄装置における共用ノズル部による空気噴射動作の一例を示す模式的断面図
【図１０】（ａ）図１に示す衛生洗浄装置が備える共用ノズル部による洗浄動作の一例を示す部分断面図（ｂ）図１に示す衛生洗浄装置が備える共用ノズル部による空気噴射動作の一例を示す部分側面図（ｃ）図１に示す衛生洗浄装置が備える共用ノズル部による空気噴射動作の一例を示す部分側面図
【図１１】図９（ｂ），（ｃ）および図１０（ｂ），（ｃ）に示した共用ノズル部が空気噴射動作を行っている状態において、エア噴出口の移動経路を示す模式図
【図１２】図９（ｂ），（ｃ）および図１０（ｂ），（ｃ）に示した共用ノズル部が空気噴射動作を行っている状態において、エア噴出口の移動経路を示す模式図
【図１３】図１に示した衛生洗浄装置における制御部が、温風乾燥部および空気噴射部の動作を制御する一例を示すフローチャート
【図１４】温風の送風が開始してからの温冷感または送風温度との関係を示すグラフ
【図１５】本発明の第２実施形態に係る衛生洗浄装置における共用ノズル部の構成を示す部分斜視図
【図１６】図６に示したノズル部とノズルガイド部５６ｂの断面図
【図１７】図６に示したノズル部２０とノズルガイド部５６ｂの側面図
【図１８】従来の衛生洗浄装置を示す上面図
【図１９】従来の衛生洗浄装置を示す部分断面図
【発明を実施するための形態】
【００２３】
第１の発明は、
着座面を有する便座部と、
便座部に着座する使用者の局部に対して洗浄水を噴出する洗浄水噴出部と、
洗浄水噴出部による洗浄水の噴出の後に、使用者の局部およびその周囲に対して加圧空気を噴出する空気噴出口を先端部に有する筒状のノズルを有する空気噴射部と、
ノズルをその軸の方向に進退可能に支持するノズル支持部と、
ノズル支持部に固定されており、ノズルを軸方向に進退駆動する進退駆動手段と、
温風を生成する温風生成部と、温風を使用者の局部に向かって送風する温風送風口を有する先端部と、温風生成部からでる温風を先端部に供給するための温風供給管と、を有する温風乾燥部と、
温風乾燥部が温風を生成し、空気噴射部による空気の噴出の開始と同時又は空気の噴出の開始の前に、温風の送風を開始するように、空気噴射部及び温風乾燥部を少なくとも制
御する制御部と、
を有しており、
温風乾燥部の先端部は、その温風送風口から出る温風の進行方向が、ノズルの軸の方向に略平行であり、かつ、空気噴出口から噴出される加圧空気の進行方向と交わるように、ノズルの側面に沿って配置されている、衛生洗浄装置を提供するものである。
【００２４】
これにより、温風乾燥部の先端部に形成された温風送風口からでる温風は、ノズルの側面に沿って進行し、空気噴出口から噴出される加圧空気（の流れ）に誘引され合流してその進行方向を変えて、加圧空気とともに使用者の局部に向かうことになり、使用者の局部に、加圧空気に加えて温風をピンポイントで効率よく当てることが可能となる。したがって、使用者に対して過剰な冷たさおよび熱さを与えることなく、短時間で効率よく被洗浄面を乾燥することができる。
【００２５】
また、温風をピンポイントで効率よく当てることが可能なため、温風を送風する範囲を狭くして風量を低減することができる。そのため、温風生成部の小型軽量化（温風ファンなどの小型軽量化および小型化による低騒音化）、温風生成部の熱量削減（加熱ヒータなどの熱量削減および省電力化）をすることもできる。
【００２６】
以上のように、第１の発明においては、使用者に冷風感を与えることなく、短時間で効率よい乾燥を行うことができる。また、温風ファン風量削減によるファン小型化および小型化に伴う低騒音化、および、温風生成部の加熱ヒータなどの熱量削減による省電力化により、商品性を向上した衛生洗浄装置を提供することが出来る。
【００２７】
第２の発明は、特に第１の発明の衛生洗浄装置のノズル支持部が、ノズルが通過できる内径を有する貫通孔が形成されたノズルガイド部を有しており、温風乾燥部の温風供給管の下流部分の一部がノズルガイド部に接続されており、温風乾燥部の先端部がノズルガイド部内に形成されており、温風送風口がノズルガイド部の貫通孔の近傍に形成されている構成としたものである。これにより、ノズルガイド部と一体で形成される部品点数の増加がなく、低コスト化をはかることが出来る。また、一体で成形されるガイド部品は公知の樹脂材料で形成されるため、特殊な材料による高コスト化を避けることができる。
【００２８】
以下、本発明の好ましい実施形態を、図面を参照しながら詳細に説明する。なお、以下の説明では全ての図を通じて同一又は相当する要素には同一の参照符号を付して、その重複する説明を省略する。
【００２９】
（第１実施形態）
［衛生洗浄装置およびトイレ装置の全体構成］
まず、本発明の第１実施形態に係る衛生洗浄装置の構成について、図１および図２に基づいて説明する。図１は、本発明の第１実施形態に係る衛生洗浄装置１０１とこれを備えるトイレ装置１００の外観構成を模式的に示す斜視図である。また、図２は、図１に示す衛生洗浄装置１０１のうち、本体部１１０および遠隔操作部１２０の制御系統を模式的に示すブロック図である。
【００３０】
トイレ装置１００は、トイレットルーム内に設置され、図１に示すように、本実施形態では、主として、衛生洗浄装置１０１と、入室センサ１０２と、便器１０３とから構成されている。
【００３１】
便器１０３は、トイレットルーム内に固定されており、図示されない下水道の配管に接続されている。この便器１０３に対して衛生洗浄装置１０１が取り付けられている。
【００３２】
入室センサ１０２は、トイレットルーム内の図示されない入口の壁面等に固定して取り付けられている。この入室センサ１０２は、衛生洗浄装置１０１との間で無線により通信が可能となっており、使用者がトイレットルーム内に入室したことを検出し、衛生洗浄装置１０１に送信する。衛生洗浄装置１０１は、この入室の検出に基づいて、所定の制御を行うよう構成されている。入室センサ１０２の具体的な構成は特に限定されず、公知の構成が好適に用いられる。本実施形態では、例えば反射型の赤外線センサが用いられ、人体から反射された赤外線を検出した場合にトイレットルーム内に使用者が入室したことを検出し、本体部１１０に送信する。
【００３３】
図１に示すように、衛生洗浄装置１０１は、本体部１１０と、遠隔操作部１２０と、便座部１３０と、便蓋部１４０とから構成されている。
【００３４】
図２に示すように、本体部１１０は、主として、洗浄水噴出部３０と、温風乾燥部４０と、空気噴射部５０と、制御部６０Ａと、検出センサ部７０とから構成されている。
【００３５】
洗浄水噴出部３０は、遠隔操作部１２０の操作により、倒伏位置にある便座部１３０に着座した使用者の局部に対して、洗浄水を噴出し、局部を洗浄する。
【００３６】
空気噴射部５０は、洗浄水噴出部３０により局部を洗浄した後、あるいは同時に空気噴射部による空気の噴出の開始し、局部に加圧空気（あるいは圧縮空気、以降、単に「エア」とする）を噴射し、局部およびその周囲に付着する洗浄水の水滴を除去する。
【００３７】
温風乾燥部４０は、温風を生成し、空気噴射部５０による空気の噴出の開始と同時又は空気の噴出の開始の前に、前記温風の送風を開始する。温風乾燥部４０の先端部に形成された温風送風口からでる温風は、ノズルの側面に沿って進行し、エア噴出口から噴出されるエア（の流れ）に誘引され合流してその進行方向を変えて、エアとともに使用者の局部を乾燥する。
【００３８】
なお、本実施形態では、使用者の局部およびその周囲のうち、洗浄水噴出部３０により洗浄水が噴出される範囲を「被洗浄面」と称し、空気噴射部５０によりエアが噴射される範囲を「被乾燥面」と称する。被洗浄面および被乾燥面は、いずれも使用者の局部を中心とした体表面であるが、特に本実施形態においては、「被洗浄面」の範囲は、人体局部およびその周辺のうち使用者の排泄により汚れうる範囲であることが好ましい。この「被洗浄面」の範囲は、使用者の体型の分布、便器の大きさ、便器の形状、洗浄水の吐出量範囲、洗浄水の吐出圧範囲などを考慮して、実験およびシミュレーションのうちの何れかにより予め求めて設定しておいてもよい。また、この「被洗浄面」の範囲は、排泄により汚れうる範囲を検知可能なセンサなど（排泄物中の水分などを検知する赤外線センサなど）により、使用者が衛生洗浄装置を使用する度毎にセンシングして最適な範囲を求める構成としてもよい。
【００３９】
また、本実施形態における「被乾燥面」の範囲は、人体局部およびその周辺のうち洗浄水により洗浄処理された際に洗浄水で濡れうる範囲であることが好ましい。さらに、「被乾燥面」の範囲（面積）が「被洗浄面」の範囲（面積）以上であり、かつ、「被乾燥面」に被洗浄面の全範囲が含まれるよう設定されていることが好ましい。なお、この「洗浄水で濡れうる範囲」には、通常、上述の「被洗浄面」の範囲、すなわち、「人体局部およびその周辺のうち使用者の排泄により汚れうる範囲」が含まれるが、「洗浄水で濡れうる範囲」に「被洗浄面」の範囲が含まれない場合には、「被乾燥面」の範囲は、「洗浄水で濡れうる範囲」と「被洗浄面」の範囲とを含む範囲であることが好ましい。
【００４０】
この「被乾燥面」の範囲も、「被洗浄面」の範囲を求める場合と同様に、使用者の体系
の分布、便器の大きさ、便器の形状、加圧空気の吐出量範囲、加圧空気の吐出圧範囲などを考慮して、実験およびシミュレーションのうちの何れかにより予め求めて設定しておいてもよい。また、この「被乾燥面」の範囲も、「被洗浄面」の範囲を求める構成と同様に、洗浄水で濡れうる範囲を検知可能なセンサなど（水分を検知する赤外線センサなど）により、使用者が衛生洗浄装置を使用する度毎にセンシングして最適な範囲を求める構成としてもよい。
【００４１】
また、図２には詳細に図示されないが、本体部１１０は、入室センサ１０２および遠隔操作部１２０と無線で通信が可能となっている。それゆえ、本体部１１０が入室センサ１０２または遠隔操作部１２０から信号を受信することで、各種の操作情報や入室検出情報が制御部６０Ａに入力される。また、検出センサ部７０からも制御用の各種の検出情報が入力される。制御部６０Ａは、操作情報および検出情報に基づき、洗浄水噴出部３０、温風乾燥部４０および空気噴射部５０、並びに、検出センサ部７０の動作を制御する。
【００４２】
本体部１１０は、本実施形態では、樹脂等で形成されている筐体８１内に、洗浄水噴出部３０、温風乾燥部４０、空気噴射部５０、制御部６０Ａ、および検出センサ部７０が収容されている構成となっている。また、本体部１１０には、図示されない電源回路部等も収容され、当該電源回路部に給電線８２の一方が接続され、当該給電線８２の他方には電源プラグ８３が接続されている。電源プラグ８３は、図１に示すように、コンセントに差し込まれ、これにより、本体部１１０に対して電力が供給される。
【００４３】
本体部１１０、便座部１３０および便蓋部１４０は、一体的に組み付けられて便器１０３の上面に設置される。便座部１３０および便蓋１４０は、本体部１１０に回動自在に取り付けられており、便座部１３０が倒伏位置にあって、便蓋部１４０が起立位置ある状態で、使用者が便座部１３０に着座する。なお、便座部１３０および便蓋部１４０が倒伏位置から起立位置へ向かって回動することを「開く」といい、起立位置から倒伏位置へ向かって回動することを「閉じる」という。
【００４４】
便座部１３０は、本実施形態では、内部に図示されない便座ヒータを備える構成となっている。これにより、便座部１３０に着座した使用者の臀部を暖めることができる。すなわち、本実施形態における衛生洗浄装置１０１は、局部の洗浄および乾燥機能に加えて、暖房便座の機能も備えている。便座部１３０の具体的な構成は特に限定されないが、本実施形態では、金属製の便座となっていると好ましい。この構成であれば、使用者がトイレットルームに入室したと同時に便座ヒータを動作させることで迅速に便座部１３０を暖めることができるので、待機電力が少なくてすむ。
【００４５】
本実施形態では、便座部１３０が暖房便座であるので、図２には図示されないが、制御部６０Ａは、便座部１３０による暖房動作も制御するよう構成されている。特に、便座部１３０が金属製の便座であれば、入室センサ１０２による使用者の入室の検出をトリガーとして、便座部１３０の暖房を開始する制御が行われる。また、遠隔操作部１２０の操作により、便座部１３０の暖房温度を変更することもできる。
【００４６】
なお、便器１０３および便蓋部１４０の具体的構成は特に限定されず、トイレ装置および衛生洗浄装置の分野で公知の形状、材質等のものが用いられる。
【００４７】
［衛生洗浄装置の基本構成］
次に、本実施形態に係る衛生洗浄装置１０１の基本構成について、図１〜図７に基づいて説明する。図３は、図１に示した衛生洗浄装置１０１における遠隔操作部１２０の具体的な構成を示す正面図である。また、図４は、図１に示した衛生洗浄装置１０１における洗浄水噴出部３０の模式的な構成と制御系統の概要とを示すブロック図である。さらに、
図５は、図１に示した衛生洗浄装置１０１における温風乾燥部４０および空気噴射部５０の模式的な構成と制御系統の概要とを示すブロック図である。また、図６は、図１に示した衛生洗浄装置１０１における共用ノズル部２０と温風乾燥部４０の具体的な構成を示す斜視図である。さらに、図７は、図１に示した衛生洗浄装置１０１おける制御部６０Ａの具体的な構成と、温風乾燥部４０および空気噴射部５０の要部を制御する構成とを示すブロック図である。
【００４８】
［遠隔操作部］
遠隔操作部１２０は、図１及び図３に示すように、長方形の板状であって、長辺方向が水平方向に、短辺方向が鉛直方向に沿うように、壁面に固定される。遠隔操作部１２０の正面には、後述するように、操作用の各種スイッチ、表示部等が設けられている。なお、図示されない背面はトイレットルーム内の壁面に対向する面となる。
【００４９】
遠隔操作部１２０は、図３（ａ）および（ｂ）に示すように、コントローラ本体部１２１およびコントローラ蓋部１２２から少なくとも構成されている。遠隔操作部１２０の正面は、その長辺方向に沿って上下の領域に２分割され、その上部では、コントローラ本体部１２１の前面が露出し、その下部では、コントローラ蓋部１２２によりコントローラ本体部１２１が覆われている。コントローラ蓋部１２２は図示されないヒンジ部により、コントローラ本体部１２１に対して開閉自在に設けられている（図３（ａ）において矢印で図示）。
【００５０】
図３（ａ）に示すように、遠隔操作部１２０の正面の上部であるコントローラ本体部１２１の上部には、乾燥モード選択スイッチ２２０ａ，２２０ｂ，２２０ｃ、強さ調整スイッチ２２２，２２３および位置調整スイッチ２２５，２２６が設けられている。乾燥モード選択スイッチ２２０ａ，２２０ｂ，２２０ｃのそれぞれの図中向かって左側には、いずれの乾燥モードが選択されているかを示すＬＥＤ表示部２２１ａ，２２１ｂ，２２１ｃが設けられている。また、強さ調整スイッチ２２２および２２３の上側には、洗浄強さを段階的に示す洗浄強さ表示部２２４が設けられ、位置調整スイッチ２２５および２２６の上側には、洗浄位置を示す洗浄位置表示部２２７が設けられている。コントローラ蓋部１１２が閉じられた状態では、遠隔操作部１２０の正面の下部であるコントローラ蓋部１２２の外面には、停止スイッチ２１１、乾燥スイッチ２１４、おしりスイッチ２１２およびビデスイッチ２１３が設けられている。
【００５１】
図３（ｂ）に示すように、コントローラ蓋部１２２が開かれた状態では、露出しているコントローラ本体部１２１の下部には、停止スイッチ２１１、乾燥スイッチ２１４、おしりスイッチ２１２およびビデスイッチ２１３に加えて、便蓋部自動開閉スイッチ２３１ａ、便座部自動開閉スイッチ２３１ｂ、温風温度調整スイッチ２４０、水温調整スイッチ２３２、便座温度調整スイッチ２３３、節電スイッチ２３４、除菌スイッチ２３５および便器洗浄スイッチ２３６が設けられている。温風温度調整スイッチ２４０、水温調整スイッチ２３２、および便座温度調整スイッチ２３３のそれぞれの図中向かって左側には、温風温度、水温、および便座温度のそれぞれの高低を段階的に示す温度手ベル表示部２３９，２３７および２３８が設けられている。
【００５２】
前記各スイッチは、便蓋部自動開閉スイッチ２３１ａ、便座部自動開閉スイッチ２３１ｂおよび便座洗浄スイッチ２３６を除いて、いずれもボタンスイッチとして構成されている。また、便蓋部自動開閉スイッチ２３１ａ、便座部自動開閉スイッチ２３１ｂおよび便座洗浄スイッチ２３６は、つまみ切換スイッチとして構成されている。使用者は、前記各スイッチがボタンスイッチであれば、そのボタンの正面を押すことにより、当該スイッチを操作し、つまみ切換スイッチであれば、つまみを「切」または「入」の位置に切り換えることにより、当該スイッチを操作する。
【００５３】
使用者が前記各スイッチを操作することにより、図２に示すように、遠隔操作部１２０から本体部１１０に対して、各スイッチの操作内容に応じた所定の信号が送信される。本体部１１０では、制御部６０Ａが、受信した信号に基づいて本体部１１０の動作を制御する。なお、図２には図示されないが、便座部１３０および便蓋部１４０が自動開閉機構によって開閉されるように構成されていれば、遠隔操作部１２０または入室センサ１０２からの信号を本体部１１０で受信することにより、制御部６０Ａの制御によって便蓋部１４０、あるいは便蓋部１４０および便座部１３０が自動的に開閉するよう構成されてもよい。
【００５４】
前記各スイッチとそれに対応する衛生洗浄装置１０１の動作について説明する。例えば、使用者がおしりスイッチ２１２またはビデスイッチ２１３を操作すれば、後述する共用ノズル部２０から使用者の被洗浄面に洗浄水が噴出される。また、使用者が停止スイッチ２１１を操作すれば、共用ノズル部２０から使用者の被洗浄面への洗浄水の噴出が停止される。
【００５５】
また、使用者が乾燥スイッチ２１４を操作すれば、使用者の被乾燥面に対して、後述する空気噴射部５０からエアが噴出されると同時に温風乾燥部４０から温風が吹き出される。また、使用者が乾燥モードスイッチ２２０ａ，２２０ｂ，２２０ｃを選択操作することにより、使用者の被乾燥面に対して噴出されるエアの噴出条件および温風の送風条件が変更されるので、衛星洗浄装置１０１の使用状況や使用者の好みにより、いずれかの乾燥モードを任意に選択することができる。例えば、本実施形態では、乾燥モードスイッチ２２０ａを操作することにより、短時間で乾燥を終了したい場合の「急速乾燥運転」を、乾燥モードスイッチ２２０ｂを操作することにより、局部を確実に乾燥させてさらっと仕上げる「しっかり乾燥運転」を、乾燥モードスイッチ２２０ｃを操作することにより、エアを当てたくない場合に温風だけを吹き出す「温風乾燥運転」を、それぞれ選択できるようになっている。
【００５６】
また、使用者は、強さ調整スイッチ２２２，２２３を操作することにより、使用者の局部に噴出される洗浄水の流量および圧力等を調整することができる。さらに、使用者は、位置調整スイッチ２２５，２２６を操作することにより、共有ノズル部２０の先端部の位置を調製することができる。これにより、使用者の局部に対する洗浄水の噴出位置を調整することができる。これらのスイッチが操作される場合であっても、遠隔操作装置１２０から本体部１１０に各スイッチに応じた所定の信号が無線送信される。これにより、本体部１１０の制御部６０Ａは、受信した信号に基づいて本体部１１０の動作を制御する。
【００５７】
また、使用者は、便蓋部自動開閉スイッチ２３１ａのつまみを操作することにより、便蓋部１４０の開閉動作を設定することができる。すなわち、便蓋部自動開閉スイッチ２３１ａのつまみがオンの位置にある場合、使用者のトイレットルームへの入室に応じて便蓋部１４０が自動的に開閉される。便座部自動開閉スイッチ２３１ｂについても同様である。また、使用者は、温風温度調整スイッチ２４０を操作することにより、温風乾燥部４０から使用者の局部に吹き出される温風の送風温度を調整することができる。この温風温度調整スイッチ２４０は、一回押す毎に設定が、「高」、「中」、「低」、「切」と切り替わる。この「切」の設定で運転した場合は、温風乾燥部４０が備える温風生成部４４がオフとなり送風だけとなる。また、使用者は、水温調整スイッチ２３２を操作することにより、共用ノズル部２０から使用者の局部に噴出される洗浄水の温度を調整することができる。また、使用者は、便座温度調整スイッチ２３３を操作することにより、便座部１３０における便座の暖房温度を調整することができる。
【００５８】
なお、本体部１２０に設けられている室温検出部（後述）の検出値に応じて自動的に送
風温度を調節する機能である温風温度自動モードを備え、それを実行させるスイッチを別途も受けてもよい。これにより、使用者が温風温度調整スイッチ２４０を操作する煩わしさなしに、季節または室温等にかかわらず、自動的に快適な送風温度を得ることもできる。
【００５９】
次に、本体部１１０が備える洗浄水噴出部３０、温風乾燥部４０、空気噴射部５０、および検出センサ部７０、並びに制御部６０Ａについて、それぞれ具体的に説明する。
【００６０】
［洗浄水噴出部］
洗浄水噴出部３０は、図４に示すように、温水加熱部３１、切換弁３２、洗浄ノズル部としての共用ノズル部２０、開閉弁３４、およびノズル移動機構５２を備えている。洗浄水噴出部３０は、図示されない水道管と洗浄水配管２６を介して接続されている。洗浄水配管２６は、開閉弁３４に接続され、この開閉弁３４の開閉により、共用ノズル部２０へ洗浄水としての水道水が供給または遮断される。なお、図４では、水道水の供給は矢印Ｗ０で示しており、この矢印Ｗ０の方向に洗浄水としての水道水が流れる。
【００６１】
開閉弁３４における洗浄水の流れの下流側には、洗浄水配管２６を介して温水加熱部３１が接続されている。温水加熱部３１は、洗浄水配管２６を流れる洗浄水（水道水）を加熱するヒータであり、例えば、ケース内に、洗浄水が流通する蛇行した加熱水路と、この加熱水路全体に接するように配置される平板状セラミック製ヒータとが、ケース内に設けられる構成を挙げることができる。この構成であれば、洗浄水を所定の温度で保持する温水タンクを備える必要がなく、洗浄が必要な際に、洗浄水を瞬間的に所定の温度まで温めることができる。もちろん、温水加熱部３１は、温水タンクを備える構成であってもよい。
【００６２】
温水加熱部３１における洗浄水の流れの下流側には、図１に破線で示すように、切換弁３２が接続されている。切換弁３２には、図１にも破線で示すように、洗浄水配管２６を介して洗浄水配管２６を介して共用ノズル部２０が接続されているとともに、排水管２７を介して図示されない便器１０３の内部にも接続されている。そして、切換弁３２が切り換えられることにより、温水加熱部３１から供給される所定の温度に温められた洗浄水（温水）は、共用ノズル部２０に供給されるか、または、便器１０３の内部へ排水される（図４中矢印Ｗ２で示す）。
【００６３】
共用ノズル部２０は、便座部１３０に着座した使用者の局部（被洗浄面）を温水で洗浄する洗浄ノズル部であり、使用していない状態では本体部１１０に収納されている。使用時には、ノズル移動機構５２により本体部１１０から突出し、図４では矢印Ｗ１で示すように、先端側の洗浄水噴出口２２から被洗浄面に向かって温水を噴射する。また、後述するように、共用ノズル部２０は、空気噴射部５０におけるエアノズル部（図示せず）と一体化されている。ノズル移動機構５２は、第１駆動モータ５３および第２駆動モータ５４（図中それぞれＭ１およびＭ２で示す）を含み、共用ノズル部２０を移動することにより、使用者の局部に対して共用ノズル部２０の先端側の洗浄水噴出口２２の位置を相対的に移動させる。さらに、共用ノズル部２０には、温風乾燥部４０における温風供給口（図示せず）、温風供給管（図示せず）と一体化されている。
【００６４】
共用ノズル部２０およびノズル移動機構５２については、温風乾燥部４０、空気噴射部５０を説明した後に詳述する。
【００６５】
開閉弁３４の開閉、温水加熱部３１による洗浄水の加熱、切換弁３２の切換え、共用ノズル部２０を移動させるノズル移動機構５２の動作は、制御部６０Ａにより制御される。図４には図示されないが、温水加熱部３１およびノズル移動機構５２は、これらを動作さ
せる駆動部を備え、制御部６０Ａは、これら駆動部に制御信号を出力することにより、温水加熱部３１およびノズル移動機構５２の動作を制御する。また、開閉弁３４および切換弁３２においても駆動部が設けられ、制御部６０Ａは、これら駆動部に制御信号を出力することにより、開閉弁３４の開閉および切換弁３２の切換えを制御する。
【００６６】
［温風乾燥部］
温風乾燥部４０は、図５に示すように、エアファン４１と、先端部４８と、温風供給管４３と、温風生成部４４とから構成されている。図５では、エアファン４１、温風生成部４４は、この順で、それぞれが二重線で接続された構成として図示されているが、図１に破線で示すように、エアファン４１および温風生成部４４は、エアファン４１と温風生成部４４とが接続されることで一体化された構成となっている。
【００６７】
先端部４８には使用者の局部に向かって温風を送風する温風送風口４２が構成され、温風生成部４４にて生成される温風を先端部４８に供給するための温風供給管４３とで接続されている。
【００６８】
エアファン４１は、例えば多翼ファンで構成され、自身の回転により、図５において矢印Ａ０で模式的に示すように、外気を取り込んで空気流を形成する。温風生成部４４は、例えばエアファン４１の吹出口近傍に設けられ、前記空気流を所定の温度まで加熱する。これにより温風が生成され、温風供給管４３により先端部４８へ導かれ、温風送風口４２より、図５において矢印Ａ２で示すように温風が送風される。共用ノズル部２０からは後述する空気噴射部５０よりエアが噴出される。また、エアファン４１および温風生成部４４は、空気の噴出の開始と同時又は空気の噴出の開始の前に、温風送風口４２より温風の送風を開始するよう制御部６０Ａで制御されている。
【００６９】
温風乾燥部４０の先端部４８は、その温風送風口４２から出る温風の進行方向が、共用ノズル部２０の軸方向に略平行であり、かつ、エア噴出口２１から噴出されるエアの進行方向（図５中矢印Ａ１）と交わるように、共用ノズル部２０の側面に沿って配置されており、温風乾燥部４０の先端部４８に形成された温風送風口４２からでる温風は、ノズルの側面に沿って進行し、後述する空気噴射部５０のエア噴出口２１から噴出されるエア（の流れ）に合流してその進行方向を変えて、エアとともに使用者の局部に向かうことになる。
【００７０】
したがって、使用者の局部にはエアに加えて温風がピンポイントで効率よく当たることになり、使用者に対して過剰な冷たさおよび熱さを与えることなく、短時間で効率よく被洗浄面を乾燥することができるようになる。
【００７１】
また、温風をピンポイントで効率よく当てるため、温風を送風する範囲を狭くして風量を低減することができるので、温風生成部の小型軽量化（温風ファンなどの小型軽量化）、温風生成部の熱量削減（加熱ヒータなどの熱量削減）をすることもできる。
【００７２】
なお、温風送風口４２より送風される温風の風速は、後述する空気噴射部５０から噴射されるエアの風速より遅く、本実施形態では、例えば秒速１０ｍ以下となっている。
【００７３】
［空気噴射部］
空気噴射部５０は、図５に示すように、エアポンプ５１、ノズル移動機構５２、および共用ノズル部２０を備えている。エアポンプ５１および共用ノズル部２０は、図１に破線で示すように、エア配管２５で接続されている。エアポンプ５１は、図５において矢印Ａ０で模式的に示すように、外気を取り込んで加圧することによりエアを生成し、エア配管２５を介して共用ノズル部２０に送出する。共用ノズル部２０は、エアを噴射するエアノ
ズル部であって、共用ノズル部２０の先端側には、洗浄水噴出口２２とは別にエア噴射口２１が形成されており、このエア噴射口２１から、図５において矢印Ａ１で示すようにエアが噴射する。ノズル移動機構５２は、前述のとおり、共用ノズル部２０を移動することにより、使用者の局部に対して共用ノズル部２０の先端側のエア噴射口２１の位置を相対的に移動させる。
【００７４】
共用ノズル部２０のエア噴射口２１から噴射されるエアの風速は、局部に到達する時点で、例えば秒速２０〜３０ｍの範囲内となるよう設定されており、前述した温風乾燥部４０の温風送風口４２から送風される温風の風速よりも大きいものとなっている。
【００７５】
また、温風乾燥部４０の温風送風口４２から送風される温風は、局部およびその周囲を乾燥するための空気流であるが、空気噴射部５０で噴射されるエアは、局部およびその周囲（被乾燥面）に付着する水滴を除去するための空気流である。したがって、エア噴射口２１から噴射されるエアは、前記温風のように局部全体に広がるように送風するのではなく、スポット状に集中させて噴出する必要がある。例えば、本実施形態では、エア噴射口２１から噴射されたエアが、被乾燥面に到達した時点で直径約１ｃｍ程度の大きさとなるように、諸条件が設定されている。
【００７６】
温風乾燥部４０の温風送風口４２から送風される温風はエア噴射口２１より噴出されるエア（の流れ）に合流してその進行方向を変えて、エアとともに使用者の局部に向かうことになる。その際にエアの流れに誘引されて当該使用者の局部に向かう。
【００７７】
エアファン４１の動作、エアポンプ５１の動作、温風生成部４４の動作、共用ノズル部２０を移動させるノズル移動機構５２の動作は、制御部６０Ａにより制御される。図５には図示されないが、エアファン４１、エアポンプ５１、温風生成部４４は、これらを動作させる駆動部を備え、制御部６０Ａは、これら駆動部に制御信号を出力することにより、エアファン４１、エアポンプ５１、温風生成部４４、およびノズル移動機構５２の動作を制御する。
【００７８】
なお、前記のとおり、本実施形態では、エアの風速（流速）を秒速２０〜３０ｍの範囲内としているが、水滴を吹き飛ばす効果を得るためには、前記風速は一般に秒速１０ｍ以上であることが好ましい。また、エアの噴流が被乾燥面に当接する範囲の大きさは、エア噴出口２１の大きさや数に依存するが、これらエア噴出口２１の大きさや数は特に限定されず、前記エアポンプ５１の能力とエアの風速を考慮して設定すればよい。
【００７９】
［検出センサ部］
検出センサ部７０は、本実施形態では、図１に示す着座センサ７１および図５に示す室温検出部７２から構成されている。着座センサ７１は、図１に示すように、本体部１１０の正面上部に設けられ、便座部１３０に使用者が着座していることを検出する。着座センサ７１の具体的な構成は特に限定されないが、本実施形態では、例えば、反射型の赤外線センサが用いられる。着座センサ７１が赤外線センサであれば、人体から反射された赤外線を検出することにより便座部１３０に使用者が着座していることを検出する。
【００８０】
室温検出部７２は、衛生洗浄装置１０１が設置されているトイレットルームの室温を検出するものであるが、本実施形態では、後述するように、検出した室温は、制御部６０Ａによる送風温度補正制御に用いられる。室温検出部７２の具体的構成は特に限定されないが、本実施形態では、本体部１１０に内蔵されるサーミスタとなっている。
【００８１】
なお、本実施形態では、検出センサ部７０としては、前記着座センサ７１および室温検出部７２に加えて、後述するノズル移動機構５２に設けられ、共用ノズル部２０の左右方
向の位置を検出するノズル位置センサ、温水加熱部３１に設けられ、図４には図示されない流量センサ、温水加熱部３１に設けられ、図示されない出湯温度センサ等が挙げられる。また、検出センサ部７０としては、これらに特定されず、他の公知のセンサや検出装置が用いられてもよい。また、本実施形態では、制御部６０Ａによる送風温度補正制御の制御情報として、室温（乾燥に際しての雰囲気温度）が用いられるため室温検出部７２を備えているが、制御部６０Ａによる制御の種類によっては、検出センサ部７０は備えていなくてもよい。
【００８２】
［共用ノズル部］
共用ノズル部２０は、図６に示すように、ノズル本体２０ａが円筒形状となっており、先端側の外周面にエア噴射口２１および洗浄水噴出口２２が形成されている。本実施形態では、エア噴射口２１が洗浄水噴出口２２よりもノズル本体２０ａの先端側に形成されている。ノズル本体内２０ａの内部には、当該ノズル本体の２０ａの長手方向に沿って延伸するエア空洞部２３および洗浄水空洞部２４が形成されている。エア空洞部２３の一方の端部は、ノズル本体２０ａの先端側のエア噴射口２１につながっており、他方の端部はノズル本体２０ａの後端側の底面に露出し、この部位でエア配管２５に接続されている。洗浄水空洞部２４も、一方の端部が先端側の洗浄水噴出口２２につながっており、他方の端部が後端側の底面に露出し、この部位で洗浄水配管２６に接続されている。
【００８３】
したがって、洗浄水噴出部３０の温水加熱部３１で温められた温水は、洗浄水配管２６を介してノズル本体２０ａの後端側から洗浄水空洞部２４に供給され、先端側の洗浄水噴出口２２から噴出される。また、空気噴射部５０のエアポンプ５１で加圧されたエアは、エア配管２５を介してノズル本体２０ａの後端側からエア空洞部２３に供給され、先端側のエア噴射口２１から噴射される。
【００８４】
ノズル本体２０ａの具体的な形状、寸法、材質等は特に限定されず、衛生洗浄装置やトイレ装置の分野で公知の構成を好適に用いることができる。例えば、図６においてはエア噴射口２１が洗浄水噴出口２２よりもノズル本体２０ａの先端側に形成されている態様について説明したが、本発明においては、ノズル本体２０ａにおけるエア噴射口２１と洗浄水噴出口２２との位置関係は特に限定されない。例えば、本発明においては、洗浄水噴出口２２がエア噴射口２１よりもノズル本体２０ａの先端側に形成されていてもよい。また、例えば、洗浄水噴出口２２とエア噴射口２１とがノズル本体２０ａの先端側において、ノズル本体２０ａの軸心方向でいうところの同じ位置に、軸心方向に垂直に並ぶように配置されていてもよい。
【００８５】
また、エア配管２５および洗浄水配管２６は、エアの圧力および洗浄水の水圧に耐えられる材料で形成されていればよいが、少なくともノズル本体２０ａに接続される部位の近傍では、ゴム材料等のような柔軟性を有する材料で形成されていることが好ましい。これは、ノズル本体２０ａが、ノズル移動機構５２により進退移動または揺動するため、ノズル本体２０ａの後端側に接続されるエア配管２５および洗浄水配管２６には、ねじれまたは屈曲を生じさせるような外力が加えられるためである。
【００８６】
また、共用ノズル部２０に形成されるエア噴射口２１および洗浄水噴出口２２は、図６に示すように、それぞれ１つずつであるが、これに限定されず、それぞれ複数形成されていてもよい。例えば、「おしり洗浄」用の洗浄水噴出口と「ビデ洗浄」用の洗浄水噴出口とをノズル本体２０ａにそれぞれ単独で形成してもよい。なお、単一のエア噴射口２１のみからエアを噴射させる構成であれば、エアの流量が小さくても、その流速を大きくすることができるため、空気噴射部５０が備えるエアポンプ５１が小容量であったとしても十分なエアを噴射することができる。すなわち、エアの噴流が大きいために、被乾燥面に付着した水滴にエアが当たった際に、その水滴を皮膚表面から引き剥がすエネルギーを大き
くすることができる。それゆえ、水滴を効率よく吹き飛ばすことが可能となる。
【００８７】
また、本実施形態では、前記のとおり、共用ノズル部２０は、洗浄水噴出部３０における洗浄ノズル部と空気噴射部５０におけるエアノズル部とが一体化された構成となっているが、このような構成に限定されず、洗浄水噴出部３０における洗浄ノズル部と空気噴射部５０におけるエアノズル部とがそれぞれ独立して、本体部１１０に設けられていてもよい。あるいは、洗浄ノズル部としては、単一のノズルではなく、「おしり洗浄」用ノズルおよび「ビデ洗浄」用ノズルが設けられる構成であってもよい。もちろん、本実施形態のように、一体化された共用ノズル部２０として設けられていることで、ノズルの設置面積を小さくできるとともに、ノズル移動機構５２も共用されているので、本体部１１０の大型化を回避できるとともに部材点数も削減することができ、本体部１１０の小型化や低コスト化を図ることができる。あるいは、エアノズル部として、複数のノズルを備える構成であってもよい。このような構成であれば、エアの噴流を複数形成できるので、後述するように、被乾燥面の水滴を被乾燥面の中心部に集めやすくなり、乾燥時間をより短縮することができる。
【００８８】
［ノズル部周辺配置と移動機構］
ノズル移動機構５２は、図６に示すように、本実施形態では、第１駆動モータ５３、第２駆動モータ５４、ノズル支持部５５およびノズル移動部５７を備える構成となっている。
【００８９】
ノズル支持部５５は、本実施形態では、略直角三角形の板状の外形状で、ノズル本体２０ａの直径以上の厚みを有する構成となっている。直角三角形の底辺に対応する面がノズル支持部５５の底面となっており、直角三角形の斜辺に対応する面は、ノズル本体２０ａを移動可能に載置する載置面５６ｃとなっている。載置面５６ｃは、後側が高く、前側が低くなるように傾斜し、その長手方向に沿って一対のレール部５６ａ，５６ａが設けられている。また、載置面５６ｃの前側には、上側に突出するノズルガイド部５６ｂが形成されている。ノズルガイド部５６ｂには、ノズル本体２０ａが通過できる内径の貫通孔５６ｄが形成され、ノズル本体２０ａが載置面５６ｃの上で前後に移動するときに、当該載置面５６ｃから外れないように、ノズル本体２０ａを支持する。
【００９０】
ノズルガイド部５６ｂには、温風乾燥部４０における温風供給管４３の下流部分の一部が接続されており、温風乾燥部４０における先端部４８がノズルガイド部５６ｂに形成されている。先端部４８には、温風送風口４２が、エア噴射口２１および洗浄水噴出口２２が設けられているノズル本体２０ａの先端側に形成されている。
【００９１】
なお、温風供給管４３は、温風生成部４４により温められた温風が通過するため、温風に対する耐圧性及び耐熱性を有する材料で形成されていることが好ましい。
【００９２】
また、本実施形態では、上述のとおり、耐圧性及び耐熱性を考慮した温風供給管４３で構成しているが、このような構成に限定されず、温風供給管４３は、断面が略円形状で可撓性を有する材料で形成してもよい。
【００９３】
この構成により、温風生成部４４から先端部４８まで均一な断面略円形状を保つことができ、温風の送風される温風供給管４３の断面形状が略円形状から変形すること、および、送風経路の急な拡大により、温風の流速が低下することを防止することができる。
【００９４】
また、温風供給管４３は蛇腹状に形成されていてもよい。この構成により、蛇腹形状の細く折り畳んである襞状部による伸縮性が得られ、よりフレキシブルな可撓性が得られる。したがって、流路の急な曲げにより流路が拉げ、流路の断面形状が略円形状から変形す
ることを十分に防止でき、流路の急な曲げによる温風の圧力損失の増大及びエネルギー損失の増大を十分に防止できる。
【００９５】
さらに、温風供給管４３が、蛇腹形状を有することにより、衛生洗浄装置において、部品配置の自由度が向上する。
【００９６】
なお、本実施形態では、図６に示すように、ノズルガイド部５６ｂには、温風供給管４３、先端部４８、温風送風口４２が一体化されて設けられているが、これに限定されない。
【００９７】
温風送風口４２がノズルガイド部５６ｂの貫通孔５６ｄの近傍に形成されていることにより、ノズルガイド部５６ｂと一体で形成されるため、部品点数の増加がなく、低コスト化をはかることが出来る。また、一体で成形されるガイド部品は公知の樹脂材料で形成されるため特殊な材料による高コスト化を避けることができる。
【００９８】
レール部５６ａおよびノズルガイド部５６ｂは、いずれも公知の樹脂材料等で形成されていればよい。ここで、ノズルガイド部５６ｂは、貫通孔５６ｄの内部でノズル本体２０ａが前後に移動するだけでなく、共用ノズル部２０が揺動するときには、貫通孔５６ｄの内部でノズル本体２０ａが回転する。そこで、ノズルガイド部５６ｂにおける少なくとも貫通孔５６ｄの内周面となる部位は、当該貫通孔５６ｄの内部でノズル本体２０ａが前後または回転移動しやすいように、摺動性の良好な材質で形成されていることが好ましい。さらに、貫通孔の直径は、ノズル本体２０ａが貫通した状態で、当該ノズル本体２０ａの外周面と貫通孔５６ｄの内周面との間に適度な間隙が得られるような寸法となっていることが好ましい。
【００９９】
ノズル支持部５５の載置面５６ｃの長さは、ノズル本体２０ａの長さと同等以上となっている。これは、共用ノズル部２０を本体部１１０内に完全に収納したときに、ノズル本体２０ａの全体がノズル支持部５５の載置面５６ｃ上に載置されて支持されるためである。また、載置面５６ｃの上に形成される一対のレール部５６ａ，５６ａも摺動性の良好な材質で形成されていることが好ましい。これは、後述するように、ノズル本体２０ａの後端側で当該ノズル本体２０ａに固定されるノズル支持スライダ５８を、レール部５６ａ，５６ａの間に挟み込ませ、載置面５６ｃの上を長手方向に沿ってスライドさせるためである。なお、本実施形態では、図６に示すように、ノズル支持部５５の本体に対して、レール部５６ａ，５６ａおよびノズルガイド部５６ｂは、一体化されて設けられているが、これに限定されない。
【０１００】
ノズル移動部５７は、ノズル支持スライダ５８、揺動歯車部５７ａ、およびスライダガイド部５７ｂを有している。ノズル支持スライダ５８は、前記のとおり、ノズル支持部５５の載置面５６ｃで、レール部５６ａ，５６ａの間にはさみこまれた状態で、載置面５６ｃの上をスライドするよう構成されている。
【０１０１】
ノズル支持スライダ５８は、ノズル本体２０ａの後端側に固定されるノズル固定部５８ａと、第２駆動モータ５４および揺動歯車部５７ｄを支持する歯車支持部５８ｂと、スライダガイド部５７ｂを貫通させるガイド貫通部５８ｃとから構成されている。ノズル固定部５８ａは、ノズル本体２０ａの後端側で当該ノズル本体２０ａの外周を覆うような直方体状に形成され、当該ノズル固定部５８ａにノズル本体２０ａを貫通させることで、当該ノズル本体２０ａに固定される。また、ノズル固定部５８ａの下部は、レール部５６ａ・５６ａの間に、スライド可能にはさみこまれるレール嵌合部となっている（図６には図示されない）。さらに、ノズル本体部２０ａは、ノズル固定部５８ａの前側において回転可能となっている。
【０１０２】
歯車支持部５８ｂは、載置面５６ｃ上のノズル固定部５８ａから載置面５６ｃの外側に向かって延びる板状の部位であって、前面には揺動歯車部５７ａが支持され、後面には第２駆動モータ５４が支持されている。第２駆動モータ５４の回転軸は、図６には図示されないが歯車支持部５８ｂを貫通して前面にまで達しており、当該回転軸の先端には、揺動歯車部５７ａに含まれる第１歯車が固定されている。ガイド貫通部５８ｃは、歯車支持部５８ｂの端部から下側に向かって延びる板状の部位であって、載置面５６ｃの側方に沿って延伸するスライダガイド部５７ｂが貫通されている。
【０１０３】
スライダガイド部５７ｂは、一方向に延伸する鋼索状であって、ノズル支持部５５の一方の側面（図６では手前側の側面）に、載置面５６ｃに沿って傾斜するように設けられている。スライダガイド部５７ｂの両端は、ノズル支持部５５の側面から立設して設けられているガイド支持板５６ｅ，５６ｆで固定されている。このうち、ガイド支持板５６ｅは、ノズル支持部５５の後側でスライダガイド部５７ｂを固定し、その後面に第１駆動モータ５３が支持されている。そして、図示されない第１駆動モータ５３の回転軸がガイド支持板５６ｅを貫通して前面に達しており、当該前面において、前記回転軸に軸状のスライダガイド部５７ｂが接続されている。つまり、第１駆動モータ５３の回転軸が回転するとスライダガイド部５７ｂも回転するように構成されている。また、ガイド支持板５６ｆは、ノズル支持部５５の前側で、スライダガイド部５７ｂが回転可能な状態となるように、その端部を支持している。
【０１０４】
スライダガイド部５７ｂの外周には螺旋状のネジが形成されており、スライダガイド部５７ｂを貫通させるガイド貫通部５８ｃの貫通孔は、このネジに対応するネジ穴となっている。つまり、スライダガイド部５７ｂを第１駆動モータ５３により回転可能な「ボルト」であるとすれば、ノズル支持スライダ５８のガイド貫通部５８ｃは、当該ボルトに対応する「ナット」に相当する。
【０１０５】
揺動歯車部５７ａは、歯車支持部５８ｂの前面に支持され、図６に示す構成では、第１歯車、第２歯車および第３歯車から構成されている。第１歯車は前記のとおり第２駆動モータ５４の回転軸に固定されている。この第１歯車に第２歯車が組み合わせられ、さらに第２歯車に第３歯車が組み合わせられている。第３歯車はノズル本体２０ａの後端の外周面に固定されているので、第３歯車の回転によりノズル本体２０ａも回転するように構成されている。したがって、ノズル本体２０ａは、ノズル支持スライダ５８に対して回転可能に支持されていることになる。
【０１０６】
前記構成のノズル移動機構５２により共用ノズル部２０の移動について、図６に加えて、図２、図４および図５も参照して説明する。遠隔操作部１２０の操作により、共用ノズル部２０を使用して局部の洗浄および乾燥を行う旨の操作指令が制御部６０Ａに送信されると、制御部６０Ａは、まず、第１駆動モータ５３を正方向に回転させる。第１駆動モータ５３の回転軸は、スライダガイド部５７ｂにつながっているので、スライダガイド部５７ｂも正方向に回転する。
【０１０７】
スライダガイド部５７ｂは、ノズル支持スライダ５８のガイド貫通部５８ｃに貫通しており、この貫通状態は「ボルト」および「ナット」の嵌合状態となっている。それゆえ、スライダガイド部５７ｂの回転により、当該スライダガイド部５７ｂに沿ってガイド貫通部５８ｃに対して前進する作用が働く。ガイド貫通部５８ｃはノズル支持スライダ５８の一部であるので、ノズル支持スライダ５８に対して、載置面５６ｃ上で前進する作用が伝達され、それゆえノズル支持スライダ５８が載置面５６ｃを前方向にスライドする。
【０１０８】
ここで、ノズル支持スライダ５８は、ノズル固定部５８ａを介して共用ノズル部２０（
ノズル本体２０ａ）の後端に固定されているので、共用ノズル部２０は、ノズル支持スライダ５８によって後端側から前進する外力が加えられる。それゆえ、共用ノズル部２０は、ノズル支持部５５の載置面５６ｃを移動して前進し、その先端部が本体部１１０の外側に露出する。このとき、共用ノズル部２０は、後端側がノズル支持スライダ５８によって、レール部５６ａ，５６ａの間から外れないようにガイドされ、先端側は、ノズルガイド部５６ｂでガイドされているので、共用ノズル部２０は、載置面５６ｃの上をずれることなく前進する（図６における矢印Ｄ１方向）。
【０１０９】
本体部１１０の外に露出した共用ノズル部２０の先端部には、エア噴射口２１および洗浄水噴出口２２が形成されている。温風生成部４４は、例えばエアファン４１の吹出口近傍に設けられ、空気流を所定の温度まで加熱する。これにより温風が生成され、温風供給管４３により先端部４８へ導かれ、温風送風口４２より、図５において矢印Ａ２で示すように温風が送風される。
【０１１０】
図１６は、図６に示す共用ノズル部２０とノズルガイド部５６ｂの断面図である。
【０１１１】
図１６で示すように共用ノズル部２０のノズルガイド部５６ｂには、エア噴出口２１が設けられている。エアポンプ５１で生成されたエアは、エア空洞部２３を通り、エア噴射口２１（図示せず）より噴射される。
【０１１２】
また、エアの噴出の開始と同時又はエアの噴出の開始前に、温風乾燥部４０が起動され、温風供給管４３を通り温風が送風される。その後、温風送風口４２に充満した温風は、ノズル２０のエア噴射部２１がある先端方向へと流れる。
【０１１３】
ノズルガイド部５６ｂに設けられている貫通孔５６ｄは、ノズル本体２０ａが載置面５６ｃの上で前後に移動可能となるように、貫通孔５６ｄとノズル２０との間には、ノズル２０が移動する際にガタツキ等の支障が生じない範囲のクリアランスが設けられている。
【０１１４】
温風送風口４２は、温風を共用ノズル部２０のエア噴射口２１方向に送風させるために、貫通孔５６ｄより、穴径が大きくなるように設けられている。このため、温風供給管４３より送風された温風は、温風供給口４２で方向を変え、共用ノズル部２０のエア噴射口２１方向へ送風される。
【０１１５】
図１７は、図６に示す共用ノズル部２０とノズルガイド部５６ｂの側面図で温風流れを示したものである。図１７で示すように、温風送風口４２から出る温風の進行方向（図中矢印Ａ２）は、共用ノズル部２０の軸方向に略平行であり、かつ、共用ノズル部２０の側面に沿って送風される。
【０１１６】
その後、温風送風口４２から送風される温風は、エア噴出口２１から噴出されるエアの噴出方向（図中矢印Ａ１）と交わり、エア噴出口２１から噴出されるエアの噴出方向（図中矢印Ａ１）に合流してその進行方向を変えて、エアとともに使用者の局部に向かうことになる。
【０１１７】
さらに、エアおよび温風が噴射される領域である被乾燥面は、上述のとおり、被洗浄面よりも広い面積となる。それゆえ、制御部６０Ａは、第２駆動モータ５４を所定のパターンで正逆回転させる。第２駆動モータ５４の回転軸には、揺動歯車部５７ａを構成する第１歯車が固定されているので、第２駆動モータ５４の回転駆動力は、第１歯車および第２歯車を介して、共用ノズル部２０の後端側に固定されている第３歯車に伝達される。これにより、円柱状の共用ノズル部２０は、その軸方向に正逆回転（自転）することになるので、先端部のエア噴出口２１は、左右に揺動することになる（図６における矢印Ｄ３方向
）。
【０１１８】
その後、洗浄および乾燥動作を終了する旨の操作指令が遠隔操作部１２０から制御部６０Ａに送信されると、制御部６０Ａは、第１駆動モータ５３を逆方向に回転させる。これにより、スライダガイド部５７ｂも逆回転するので、ノズル支持スライダ５８に対して載置面５６ｃ上で後退する作用が働く。それゆえ、共用ノズル部２０は、ノズル支持部５５の載置面５６ｃ上に沿って後退し（図６における矢印Ｄ２方向）、その結果、共用ノズル部２０は後端側から本体部１１０内に引き込まれ、本体部１１０内に収納される。
【０１１９】
つまり、第１駆動モータ５３は、共用ノズル部２０を前後方向に移動させるための駆動源であり、ノズル移動部５７のうち、スライダガイド部５７ｂおよびノズル支持スライダ５８のガイド貫通部５８ｃは、共用ノズル部２０を前後に移動させるノズル進退移動部として機能する。また、第２駆動モータ５４は、共用ノズル部２０を左右方向に移動させるための駆動源であり、ノズル移動部５７のうち、揺動歯車部５７ａは、共用ノズル部２０を左右に自転揺動させるノズル揺動部として機能する。
【０１２０】
本実施形態におけるノズル移動機構５２は、前記ノズル進退移動部を備えることによって、共用ノズル部２０を本体部１１０から突出させまた本体部１１０内に収納させることに加え、共用ノズル部２０の先端部を前後に移動させることができ、さらに、前記ノズル揺動部を備えることによって、共用ノズル部２０の先端部を左右に移動させることができる。それゆえ、特に、エア噴射口２１からのエアの噴射を前後だけでなく左右にも移動させることができるので、使用者の局部とその周囲全体（被乾燥面全体）にわたってエアを噴射することができる。
【０１２１】
なお、本実施形態では、共用ノズル部２０が１本のノズルで構成されているため、ノズル移動機構５２も一つのみ設けられているが、複数のノズルが設けられている場合には、ノズル移動機構５２もそれに合わせて複数設けられればよい。
【０１２２】
また、本実施形態では、共用ノズル部２０は、ノズル移動機構５２によって共有ノズル部２０全体が移動される構成となっているが、これに限定されず、エア噴出口２１のみ、あるいは、エア噴出口２１を含む周囲の部材のみを移動させたり、角度を変更させたりすることで、エアの当接範囲を移動させる構成であってもよい。あるいは、エアノズル部（図示せず）の前方に、エアの噴流の方向をかえる風向変更部が設けられる構成等であってもよい。
【０１２３】
［衛生洗浄装置の制御系統］
制御部６０Ａは、図２、図４および図５に示すように、本実施形態に係る衛生洗浄装置１０１が備える洗浄水噴出部３０、温風乾燥部４０、空気噴射部５０等の動作を制御するが、当該制御部６０Ａは、本実施形態では、図７に示すように、演算部６１、記憶部６２、および送風温度補正部６３から構成されている。
【０１２４】
演算部６１は、記憶部６２に記憶されたプログラムを用いて、衛生洗浄装置１０１における洗浄および乾燥等の動作を制御するための演算を行う。記憶部６２は、前記プログラムに加えて、演算部６１での演算に用いられる各種のデータを記憶している。演算部６１および記憶部６２は、例えば、それぞれ、マイクロコンピュータのＣＰＵおよび内部メモリで構成されている。なお、記憶部６２は、独立したメモリとして構成されてもよく、また、記憶部６２は、単一である必要はなく、複数の記憶装置（例えば、内部メモリと外付け型のハードディスクドライブ）として構成されてもよい。
【０１２５】
送風温度補正部６３は、温風乾燥部４０で生成される温風の温度（送風温度）を補正す
る。より具体的には、送風温度補正部６３は、温風乾燥部４０による送風の開始時点から第１の所定時間が経過するまでの期間（起動段階）における送風温度を、当初設定されている値（加温値）から、より高い値（起動調整値）に補正する。演算部６１は、送風温度補正部６３から補正後の送風温度の値を取得し、この補正後の値に基づいて温風乾燥部４０の動作を制御する。送風温度補正部６３は、公知の温度補正回路を用いて構成されてもよいし、演算部６１が記憶部６２に格納されるプログラムに従って動作することにより実現される構成、すなわち制御部６０Ａの機能構成であってもよい。
【０１２６】
演算部６１および送風温度補正部６３には、遠隔操作部１２０から各種の操作指令が入力されるように構成されている。また、演算部６１および送風温度補正部６３には、室温検出部７２からトイレットルームの室温の検出値も入力されるように構成されている。
【０１２７】
図７では、温風乾燥部４０および空気噴射部５０についての制御系統を図示している（図５参照）。具体的には、演算部６１は、エアファン駆動部４５、温風生成部駆動部４６、エアポンプ駆動部５５および共有ノズル駆動部５６を制御し、エアファン駆動部４５、温風生成部駆動部４６、エアポンプ駆動部５５および共有ノズル駆動部５６は、演算部６１の制御に基づいて、それぞれ、エアファン４１、温風生成部４４、エアポンプ５１、ノズル移動機構５２を動作させる。なお、図７には図示されていないが、前記構成の制御部６０Ａは、洗浄水噴出部３０を制御するよう構成されていることはいうまでもない（図４参照）。
【０１２８】
［衛生洗浄装置による洗浄動作および乾燥動作］
次に、衛生洗浄装置１０１の具体的な洗浄動作および乾燥動作の制御について、図８ないし図１２に基づいて説明する。図８は、衛生洗浄装置１０１における洗浄動作および乾燥動作の制御の一例を示すタイムチャートである。図９（ａ）〜（ｃ）は、衛生洗浄装置１０１が備える共用ノズル部２０による洗浄動作（図９（ａ））および空気噴射動作（図９（ｂ）および（ｃ））の一例を示す模式的断面図である。図１０（ａ）〜（ｃ）は、衛生洗浄装置１０１が備える共用ノズル部２０による洗浄動作（図１０（ａ））および空気噴射動作（図１０（ｂ）および（ｃ））の一例を示す部分側面図である。図１１および図１２は、共用ノズル部２０が空気噴射動作を行っているときに、エア噴出口２１の移動経路を示す模式図である。
【０１２９】
なお、本実施形態における乾燥動作は、遠隔操作部１２０の各スイッチのうち、乾燥モードスイッチ２２０ａが操作されることで「急速乾燥運転」の運転モードが選択され、かつ、温風温度調整スイッチ２４０が操作され温度設定が「中」レベルに設定されている場合について説明する。この「急速乾燥運転」は、温風乾燥部４０により送風される温風をエアにより誘引しながら、空気噴射部５０により被乾燥面にエアを噴射する運転モードである。
【０１３０】
まず、遠隔操作部１２０がいまだ操作されていない状態（経過時間Ｔ０）では、図８の「ＩＶ．ノズル前後方向位置」に示すように、共用ノズル部２０は本体部１１０内に収納されている。また、図８の「Ｖ．ノズル左右方向位置」に示すように、共用ノズル部２０は中心位置となっている。なお、「Ｖ．ノズル左右方向位置」とは、ノズル移動機構５２に設けられている図示されないノズル左右方向位置センサによって検出され、中心位置にあるときは、共用ノズル部２０のエア噴射口２１（および洗浄水噴出口２２）が形成されている面が、前記ノズル左右方向位置センサの検出基準位置に対応する角度となるように設定されている。この設定角度が左右方向の基準となる中心角度であって、エア噴射口２１および洗浄水噴出口２２の吐出角度は上方向となるように設定されている。
【０１３１】
次に、使用者が、遠隔操作部１２０のおしりスイッチ２１２を操作すると（経過時間Ｔ
１）、図８の「ＩＩ．開閉弁」に示すように、制御部６０Ａにより洗浄水噴出部３０の開閉弁３４が開き、水道水が温水加熱部３１に流れ込む。また、温水加熱部３１は、図示されない内蔵の流量センサによって水流を検出すると、図８の「Ｉ．温水加熱部」に示すように、制御部６０Ａは温水加熱部３１への通電を開始させ、加熱された温水が供給され始める。なお、この時点では、洗浄水噴射部３０の切換弁３２は、便器１０３内につながる排水管２７側に設定されているので、十分に加熱されていない温水は、便器１３０内に排出される。
【０１３２】
次に、温水加熱部３１から供給される温水の温度（出湯温度）が予め設定された温度値（例えば３６℃）に達すれば（経過時間Ｔ２）、図８の「ＩＶ．ノズル前後方向位置」に示すように、制御部６０Ａは、第１駆動モータ５３を動作させて共用ノズル部２０を前進させ、その先端部を「中心部位置」（例えば前方１００ｍｍ）に到達させる。
【０１３３】
その後、図８の「ＩＩＩ．切換弁」に示すように、制御部６０Ａは、切換弁３２を共用ノズル部２０側の洗浄水配管２６に切り換え（経過時間Ｔ３）、使用者の被洗浄面に温水を噴出する（「おしり洗浄」運転）。温水加熱部３１への電力供給は、出湯温度を検出する図示されない出湯温度センサの検出温度が設定値（例えば４０℃）となるように、公知の制御方法（ＰＩＤ制御、ＦＦ制御）を用いて行われる。また、温水の流量は、切換弁３２の弁開度を調整することによって使用者の好みの量となるように調整されている。
【０１３４】
この「おしり洗浄」運転では、図９（ａ）および図１０（ａ）に示すように、共用ノズル部２０の洗浄水噴出口２２から使用者４００の被洗浄面に向かって温水が噴出されているが、被洗浄面の濡れ状態を見れば、洗浄水が直接当たる中心部の局部だけでなく、周辺部へ水滴が流れるため、局部およびその周辺部（図中被洗浄面ｆ）が全体的に濡れている状態となっている。なお、図９（ａ）では、便座部１３０および便器１０３の断面は外形のみであって、例えば、便座部１３０については内部に暖房ヒータ等を備えている構成であっても図示されない。
【０１３５】
次に、「おしり洗浄」運転が終了し、使用者が遠隔操作部１２０の停止スイッチ２１１を操作すると（経過時間Ｔ４）、図８の「ＩＩＩ．切換弁」および「Ｉ．温水加熱部」に示すように、制御部６０Ａは、切換弁３２を共用ノズル部２０側の洗浄水配管２６から便器１０３側の排水管２７に切り換え、共用ノズル部２０の洗浄水噴出口２２からの温水の噴出を停止させると同時に、温水加熱部３１への通電を停止し、第１駆動モータ５３を逆転させて、共用ノズル部２０を収納位置まで後退させる。
【０１３６】
そして、図８の「ＩＩ．開閉弁」に示すように、制御部６０Ａは、開閉弁３４を閉じて洗浄水噴出部３０への通水を遮断して洗浄動作を終了させる（経過時間Ｔ５）。このとき、図８の「ＩＶ．ノズル前後方向位置」に示すように、共用ノズル部２０は、収納位置（０ｍｍ）に戻る。
【０１３７】
なお、本実施形態では、「おしり洗浄」運転について説明したが、遠隔操作部１２０のビデスイッチ２１３を操作して「ビデ洗浄」運転を行う場合においても、基本的なシーケンスは同様である。「ビデ洗浄」運転の場合は、ビデに対応する共用ノズル部２０の位置と洗浄水の流量の設定が変更されることになる。
【０１３８】
次に、使用者が、遠隔操作部１２０の乾燥スイッチ２１４を操作すれば（経過時間Ｔ６）、図８の「ＶＩＩＩ．温風生成部」に示すように、制御部６０Ａは、温風生成部４４に通電し、当該温風生成部４４の温度上昇が開始される。このように、エアファン４１の動作が開始される前に温風生成部４４の動作を開始させることで、放熱が少ない状態で温風生成部４４が加熱されるため、当該温風生成部４４の温度を高速に上昇させることができ
る。
【０１３９】
また、このとき（経過時間Ｔ６）、図８の「ＶＩ．エアポンプ」に示すように、制御部６０Ａは、温風生成部４４の動作の開始と同時にエアポンプ５１を短時間（たとえば１秒間）だけ動作させ、エアを共用ノズル部２０のエア噴射口２１から一瞬噴出させる。この動作によって、共用ノズル部２０が本体部１１０に収納された位置にある状態で、共用ノズル部２０の表面に付着した水滴が吹き飛ばされるので、使用者に対して水滴の再付着を防止することができる。
【０１４０】
次に、図８の「ＶＩＩ．エアファン」に示すように、制御部６０Ａは、エアファン４１の動作を開始させ（経過時間Ｔ７）、これにより、温風送風口４２から温風が吹き出す。温風の送風温度は、高速で加熱された温風生成部４４を通過するため、送風の当初から所定の高い温度まで達している。また、このときの温風生成部４４は、後述するように、送風温度補正部６３による送風温度の補正がなされた上で、制御部６０Ａによって制御されているため、高温（例えば６０°）の温風が送風されることになる。この温風は、温風送風口４２から使用者の被乾燥面のほぼ全面に送風される。
【０１４１】
その後、図８の「ＩＶ．ノズル前後方向位置」に示すように、制御部６０Ａは、第１駆動モータ５３を動作させて、共用ノズル部２０を最前進の位置（例えば前方１５０ｍｍ）まで前進させながら、図８の「Ｖ．ノズル左右方向位置」に示すように、第２駆動モータ５４を動作させて共用ノズル２０の左右角度を右端角度（例えば＋５０°）まで角度変更させる。
【０１４２】
さらにその後、図８の「ＶＩ．エアポンプ」に示すように、制御部６０Ａは、エアポンプ５１動作させ（経過時間Ｔ８）、被乾燥面に対してエア噴射口２１からエアの噴射を開始させる。そして、図８の「ＩＶ．ノズル前後方向位置」および「Ｖ．ノズル左右方向位置」に示すように、制御部６０Ａは、ノズル移動機構５２における第２駆動モータ５４および第１駆動モータ５３の回転方向および回転速度を制御し、共用ノズル部２０を、所定範囲内（例えば前方５０ｍｍから１５０ｍｍ）で高速に前後に往復移動させるとともに、左右方向の角度範囲を、右端角度から右側所定角度（例えば＋５０°から＋２０°）まで中心角度に向けてゆっくりと移動させる。このステップを、空気噴射第１ステップと称する。
【０１４３】
この空気噴射第１ステップでは、共用ノズル部２０からのエアの噴流が、使用者の被乾燥面の右側の所定位置から前後方向に往復移動しながら徐々に中心部に接近してくることになる。このエアの噴流は、図１１に示すような軌跡で描かれる。図１１は、便座部１３０および便器１０３を上から見た図であり、便座部１３０の開口部から見える便器１０３の内部には、使用者４００の臀部（および脚の付け根）となる仮想領域が破線で示されるとともに、この使用者４００となる仮想領域内に、図中二点鎖線で示される正方形状の仮想領域である被乾燥面Ｆが示される。図１１の矢印Ｐ１に示すように、エアの噴流が被乾燥面Ｆに当接する範囲（エア当接範囲）Ｅは、被乾燥面Ｆの右端において、前後方向に高速に往復移動する（図中矢印Ｄ２およびＤ１方向、図６参照）ことを周期的に繰り返しながら、被乾燥面Ｆの中心部Ｇに向かって徐々に移動する。したがって、エア当接範囲Ｅは、被乾燥面Ｆ内で右から左へのジグザグの移動軌跡を描くように移動することとなる。
【０１４４】
また、前記空気噴射第１ステップでは、図９（ｂ）に示すように、使用者４００の被乾燥面Ｆの向かって右側に付着した水滴は、共用ノズル部２０のエア噴射口２１から噴射されたエアの噴流により、中心部方向（図中矢印Ｄ３−１方向、図６参照）に集められながら吹き飛ばされることになる。
【０１４５】
その後、図８の「ＶＩ．エアポンプ」に示すように、制御部６０Ａは、エアポンプ５１の動作を一旦停止させ（経過時間Ｔ９）、図８の「Ｖ．ノズル左右方向位置」に示すように、共用ノズル部２０の左右方向の角度範囲を左端角度（例えば−５０°）まで変更し、再びエアポンプ５１を動作させ（経過時間Ｔ１０）、エアの噴射を開始する。
【０１４６】
その後、制御部６０Ａは、前記空気噴射第１ステップと同様に、共用ノズル部２０を、所定範囲内（例えば前方５０ｍｍから１５０ｍｍ）で高速に前後に往復移動させるとともに、左右方向の角度範囲を、左端角度から左側所定角度（例えば−５０°から−２０°）まで中心角度に向けてゆっくりと移動させる。このステップを、空気噴射第２ステップと称する。
【０１４７】
この空気噴射第２ステップでは、共用ノズル部２０からのエアの噴流が、使用者の被乾燥面Ｆの左側の所定位置から前後方向に往復移動しながら徐々に中心部Ｇに接近してくることになる。つまり、空気噴射第２ステップでは、図１１の矢印Ｐ２に示すように、エア当接範囲Ｅは、被乾燥面Ｆの左端において、前後方向に高速に往復移動することを周期的に繰り返しながら、被乾燥面Ｆの中心部Ｇに向かって徐々に移動するので、言い換えれば、エア当接範囲Ｅは、中心部Ｇを基準に、矢印Ｐ１で示すジグザグの軌跡と線対称となるような、左から右へのジグザグの移動軌跡を描くように移動することになる。
【０１４８】
また、前記空気噴射第２ステップでは、図９（ｃ）に示すように、使用者４００の被乾燥面Ｆの向かって左側に付着した水滴は、共用ノズル部２０のエア噴射口２１から噴射されたエアの噴流により、中心部方向（図中矢印Ｄ３−２方向、図６参照）に集められながら吹き飛ばされることになる。
【０１４９】
前記空気噴射第１ステップおよび第２ステップが行われれば、被乾燥面Ｆに付着して残る水滴は、中心部Ｇを中心とした前後の領域のみとなる。
【０１５０】
つまり、人体の臀部は、肛門および陰部という洗浄中心部に対して左右両側に凸部が形成されているため、便座部１３０に着座した場合に、前記洗浄中心部（被乾燥面Ｆの中心部Ｇ参照）より、左右両側が低くなる。したがって、洗浄水の濡れは左右に広がりやすくなるため、乾燥運転の開始時に、最初に中心部Ｇに向かってエアを当ててしまうと、付着した水滴が左右に大きく広がり、被乾燥面Ｆにおける濡れ面積が拡大してしまう。そこで、制御部６０Ａが、空気噴射部５０に、前述した空気噴射第１ステップおよび第２ステップを実行させれば、被乾燥面Ｆの水滴が左右に広がることを防止しながら水滴を吹き飛ばすことができるので、効率の良い乾燥が可能となる。
【０１５１】
また、このように最初に臀部の左右の凸部に向かってエアを噴射すると、使用者は臀部全体において冷たく感じやすいが、本実施形態では、後述するように、送風温度補正部６３による送風温度の補正が行われた上で、エアの噴射と同時に、温風乾燥部４０に温風を送風させるので、冷感を十分に緩和させ、使用者の快適性を向上させることができる。
【０１５２】
次に、制御部６０Ａは、前記空気噴射第２ステップが終了すれば、図８の「ＩＶ．ノズル前後方向位置」に示すように、共用ノズル部２０を最前進位置まで前進させる（経過時間Ｔ１１）。そして、制御部６０Ａは、共用ノズル部２０を、最前進位置から中心部方向にゆっくりと後退移動させるとともに、左右方向の角度を右端角度から左端角度まで高速に往復移動させる。このステップを、空気噴射第３ステップと称する。
【０１５３】
この空気噴射第３ステップでは、共用ノズル部２０からのエアの噴流が、使用者の被乾燥面Ｆの前側の所定位置から左右方向に往復移動しながら徐々に後側の中心部Ｇに接近してくることになる。つまり、空気噴射第３ステップでは、図１２の矢印Ｐ３に示すように
、エア当接範囲Ｅは、被乾燥面Ｆの上端において、左右方向に高速に往復移動することを周期的に繰り返しながら、被乾燥面Ｆの中心部Ｇに向かって徐々に移動する。それゆえ、エア当接範囲Ｅは、被乾燥面Ｆ内で前から後へのジグザグの移動軌跡を描くように移動することとなり、被乾燥面Ｆの中心部Ｇより前方に残存する水滴を、中心部Ｇ方向に集めながら吹き飛ばすことができる。
【０１５４】
その後、図８の「ＶＩ．エアポンプ」に示すように、制御部６０Ａは、エアポンプ５１の動作を一旦停止させ（経過時間Ｔ１２）、図８の「ＩＶ．ノズル前後方向位置」に示すように、共用ノズル部２０の前後方向位置を後方の所定位置（例えば前方５０ｍｍ）まで移動させ、再びエアポンプ５１を動作させ（経過時間Ｔ１３）、エアの噴射を開始する。
【０１５５】
その後、制御部６０Ａは、前記空気噴射第３ステップと同様に、共用ノズル部２０を、最後退位置から中心部Ｇ方向にゆっくりと前進移動させるとともに、左右方向の角度を右端角度から左端角度まで高速に往復移動させる。このステップを、空気噴射第４ステップと称する。
【０１５６】
この空気噴射第４ステップでは、共用ノズル部２０からのエアの噴流が、使用者４００の被乾燥面Ｆの後側の所定位置から左右方向に往復移動しながら徐々に前側の中心部Ｇに接近してくることになる。つまり、空気噴射第４ステップでは、図１２の矢印Ｐ４に示すように、エア当接範囲Ｅは、被乾燥面Ｆの下端において、前後方向に高速に往復移動することを周期的に繰り返しながら、被乾燥面Ｆの中心部Ｇに向かって徐々に移動するので、言い換えれば、エア当接範囲Ｅは、中心部Ｇを基準に、矢印Ｐ３で示すジグザグの軌跡と線対称となるような、後から前へのジグザグの移動軌跡を描くように移動することになる。それゆえ、空気噴射第４ステップでは、被乾燥面Ｆの中心部Ｇより後方に残存する水滴を、中心部Ｇ方向に集めながら吹き飛ばすことができる。
【０１５７】
前記空気噴射第３ステップおよび第４ステップが行われれば、被乾燥面Ｆに付着して残る水滴は、中心部Ｇ近傍のみとなる。
【０１５８】
ここで、制御部６０Ａは、前記空気噴射第１ステップから第４ステップにおいては、被乾燥面Ｆへのエア当接範囲Ｅの移動方向は、中心部Ｇに向けて移動する速度よりも、中心部Ｇに向かう方向に交差する方向（交差方向）へ移動する速度が十分に速くなるよう、ノズル移動機構５２を制御している。それゆえ、被乾燥面Ｆに衝突して広がるエアは、前記交差方向に対して垂直となる方向へ流れる成分（垂直流）が多くなる。したがって、この交差方向に移動するエア当接範囲Ｅと中心部Ｇとの間に付着する水滴は、前記垂直流に押されることで、中心部Ｇに向かう方向に移動する。したがって、徐々にエア当接範囲Ｅを中心部Ｇに接近させれば、水滴は常に中心部Ｇに向かって集められることになる。それゆえ、空気噴射第１ステップから第４ステップを実行することで、被乾燥面Ｆに付着する水滴を中心部Ｇに迅速かつ適切に集めることができる。
【０１５９】
次に、図８の「ＶＩ．エアポンプ」に示すように、制御部６０Ａは、エアポンプ５１の動作を一旦停止させ（経過時間Ｔ１４）、図８の「ＩＶ．ノズル前後方向位置」に示すように、共用ノズル部２０の前後方向位置を前方の所定位置（例えば前方１３０ｍｍ）まで移動させ、再びエアポンプ５１を動作させ（経過時間Ｔ１５）、エアの噴射を開始する。
【０１６０】
その後、制御部６０Ａは、図８の「ＩＶ．ノズル前後方向位置」に示すように、共用ノズル部２０を前方の所定位置から後退させる移動を開始させ、中心部Ｇを通過させ、さらに中心部Ｇより後方の所定位置（例えば前方５０ｍｍ）までゆっくりと移動させる。制御部６０Ａは、図８の「Ｖ．ノズル左右方向位置」に示すように、前記後退移動とともに、共用ノズル部２０の左右方向の角度を、右端角度から左端角度まで高速に往復駆動させる
（図１０（ｂ）および（ｃ）参照）。このステップを、空気噴射第５ステップと称する。
【０１６１】
この空気噴射第５ステップでは、共用ノズル部２０からのエアの噴流が、被乾燥面Ｆを左右方向に高速に移動する周期移動を繰り返しながら、前方の所定位置から後方の所定位置に向かって徐々に移動し、中心部Ｇを通過して後方の所定位置まで徐々に移動することになる。したがって、エア当接範囲Ｅは、被乾燥面Ｆにおいて、前方から中心部Ｇを通って後方に移動するために、被乾燥面Ｆの中心部Ｇ近傍に残存する水滴を、ほぼ完全に吹き飛ばすことが可能となる。
【０１６２】
言い換えれば、空気噴射第１ステップから第４ステップは、大部分の水滴を吹き飛ばしながら残りを中心部Ｇに集める工程（水滴集中工程）ということができ、空気噴射第５ステップは、最後に中心部Ｇ近傍に残った水滴をほぼ完全に吹き飛ばす工程（水滴除去工程）ということができる。なお、本実施形態では、空気噴射第１ステップから第５ステップまでを、前記の順で実行したが、これに限定されず、各ステップの順番を入れ替えても良いし、一部のステップを繰り返しても良いし、一部のステップを省略してもよい。
【０１６３】
また、前記空気噴射第１ステップから第５ステップまでのエアの噴射は、温風乾燥部４０の温風供給管４３よりノズルガイド部５６ｂに形成されている先端部４８の温風送風口４２による温風の送風と同時に行われる。したがって、温風乾燥部４０の温風送風口４２からの温風は加圧空気の流れに誘引されることになり、当該エアは暖められながら噴射されることになる。温風送風口４２がノズルガイド部５６ｂに形成されノズル近傍に配置されていることから、加圧空気（の流れ）に誘引され合流してその進行方向を変えて、加圧空気とともに使用者の局部に向かうことになる。
【０１６４】
したがって、使用者の局部には加圧空気に加えて温風がピンポイントで効率よく当たることが可能となる。これにより、使用者に対して過剰な冷たさおよび熱さを与えることなく、短時間で効率よく被洗浄面を乾燥することができる。
【０１６５】
また、温風がピンポイントで効率よく当たることが可能なため、温風を送風する範囲を狭くして風量を低減することができる。そのため、温風生成部の小型軽量化（温風ファンなどの小型軽量化および小型化による低騒音化）、温風生成部の熱量削減（加熱ヒータなどの熱量削減および省電力化）をすることもできる。
【０１６６】
その後、図８の「ＶＩ．エアポンプ」に示すように、制御部６０Ａは、エアポンプ５１を停止し（経過時間Ｔ１６）、図８の「ＩＶ．ノズル前後方向位置」および「Ｖ．ノズル左右方向位置」に示すように、共用ノズル部２０の前後方向を収納位置に移動させ、左右方向を中心角度に戻させる。
【０１６７】
このようにして、空気噴射部５０による水滴の除去が終了し、事実上乾燥動作が終了したことになるので、使用者４００は、遠隔操作部１２０の停止スイッチ２１１を操作し、制御部６０Ａは、この停止指令を受けて、図８の「ＶＩＩＩ．ヒータ」に示すように、温風生成部４４の運転を停止し（経過時間Ｔ１７）、最後に、図８「ＶＩＩ．エアファン」に示すように、エアファン４１を停止する（経過時間Ｔ１８）ことによって、温風生成部４４の余熱を減少させる。以上により、一連の洗浄動作および乾燥動作の制御が終了する。
【０１６８】
［温風乾燥部および空気噴射部の動作の制御処理］
次に、制御部６０Ａによる乾燥運転の制御の一例について、図１３に基づいて説明する。まず、制御部６０Ａは、遠隔操作部１２０の乾燥スイッチ２１４が操作されたか否かを判定する（ステップＳ１０１）。操作されていなければ（ステップＳ１０１のＮＯ）、当
該判定を繰り返し、操作されていれば（ステップＳ１０１のＹＥＳ）、まず、エアファン４１よりも先に温風生成部４４を動作させ（ステップＳ１０２）、その後、エアファン４１を動作させる（ステップＳ１０３）。
【０１６９】
本実施形態では、このようにエアファン４１よりも先に温風生成部４４を動作させることで、放熱の少ない状態で、温風生成部４４に大電力を一気に通電することにより、温風生成部４４の昇温速度が増大し、それゆえ、温風生成部４４の起動時間および加温値Ｔｗまでの上昇時間を高速化することができる。
【０１７０】
次に、制御部６０Ａは、空気噴射部５０を動作させ、被乾燥面にエアを噴射させる（ステップＳ１０４）。このエアの噴射は、具体的には、前述したように、空気噴射第１ステップから第５ステップとして実行される（図８、図９（ｂ）および（ｃ）、図１０（ｂ）および（ｃ）を参照）。
【０１７１】
そして、制御部６０Ａは、遠隔操作部１２０の停止スイッチ２１１が操作されたか否かを判定する（ステップＳ１０５）。操作されていなければ（ステップＳ１０５でＮＯ）、当該判定を繰り返し、操作されていれば（ステップＳ１０５でＹＥＳ）、温風乾燥部４０（温風生成部４４およびエアファン４１）と空気噴射部５０の動作を停止し、制御を終了する。
【０１７２】
なお、前記制御においては、エアファン４１および温風生成部４４を同時に起動させ、エアファン４１による送風量を徐々に上げるというソフトスタートを実行してもよい。言い換えれば、制御部６０Ａは、エアファン４１および温風生成部４４のいずれも同時に動作を開始させるが、エアファン４１については、温風生成部４４において起動段階が開始してから送風量を増加させるように制御してもよい。これによっても、温風生成部４４の起動時間および加温値Ｔｗまでの上昇時間を高速化することができる。
【０１７３】
また、本実施形態における乾燥運転は、図１３に示すような、温風乾燥部４０および空気噴射部５０を同時に動作させる運転モード（第１乾燥運転モード）だけではなく、空気噴射部５０のみを動作させ、被乾燥面にエアのみを噴射する運転モード（第２乾燥運転モード）、あるいは、温風乾燥部４０のみを動作させ、被乾燥面に温風のみを送風する運転モード（第３乾燥運転モード）も選択することができる。これら運転モードの選択は、遠隔操作部１２０の乾燥モードスイッチ２２０ａ，２２０ｂ，２２０ｃ、ならびに温風温度調整スイッチ２４０を操作することにより実現される。
【０１７４】
具体的には、図３（ａ）に示す遠隔操作部１２０において、乾燥モードスイッチ２２０ａを操作すれば、「急速乾燥運転」が選択されるので、図１３に示す第１乾燥運転モードが実行され、被乾燥面の乾燥を短時間に終了することができる。また、乾燥モードスイッチ２２０ｂを操作すれば、「しっかり乾燥運転」が選択される。この「しっかり乾燥運転」は、基本的に第１乾燥運転モードと同様であるが、運転時間をより長く変更することによって、被乾燥面の水滴を確実に除去する運転モードとなっている。
【０１７５】
また、乾燥モードスイッチ２２０ｃを操作すれば、「温風乾燥運転」が選択されるので、空気噴射部５０は動作せずに温風乾燥部４０のみが動作し、第３乾燥運転モードが実行される。ただし、第３乾燥運転モードでは、温風のみが被乾燥面に当たるため、送風温度補正部６３による目標温度補正処理では、各設定データ（第１〜第４段階における時間設定、送風温度の設定値Ｔｓ、過渡係数Ｄ）を、第１乾燥運転モードの各設定データから変更させておくことが好ましい。具体的には、第１乾燥運転モードでは、空気噴射部５０によるエアが被乾燥面に当たることから、送風温度が高くなるように目標温度（設定値Ｔｓ）が補正されるが、空気噴射部５０が動作しない第３乾燥運転モードでは、エアによる被
乾燥面の冷却作用が生じないことを考慮して、目標温度（設定値Ｔｓ）を低く設定すればよい。
【０１７６】
また、図３（ｂ）に示す遠隔操作部１２０の温風温度調節スイッチ２４０を「切」設定にし、かつ、乾燥モードスイッチ２２０ａを操作すれば、第２乾燥運転モードが選択され、エアのみが被乾燥面に噴射される。この運転モードは、特に夏場など気温が高い場合に選択されるように構成されている。
【０１７７】
［目標温度補正処理に関する各種条件の評価］
本実施形態においては、使用者にとっての温冷感を判定するために７段階の温冷感指標を作成し、当該温冷感指標に基づいて、送風温度補正部６３による目標温度補正処理に関する温度条件および経過時間条件を評価している。この点について、具体的な試験方法およびその結果とともに説明する。図１４は、温風の送風が開始してからの温冷感または送風温度との関係を示すグラフであり、上側が温冷感と経過時間との関係を示し、下側が送風温度と経過時間との関係を示す。
【０１７８】
人間の温冷感は敏感なものであり、非常に微妙な条件によって異なることに加え、個人差も大きなものとなっている。そこで、本発明者らは、温冷感を７段階に分け、この温冷感指標に基づいて、前述した送風温度の好適な値を設定した。具体的には、前記７段階の指標としては、「非常に熱い」を「＋３」、「熱い」を「＋２」、「温かい」を「＋１」、「どちらでもない」を「０」、「涼しい」を「−１」、「冷たい（寒い）」を「−２」、「非常に冷たい（非常に寒い）」を「−３」として評価した。
【０１７９】
そして、本実施形態に係る衛生洗浄装置１０１において、モニター項目として、雰囲気温度としての室温、温風送風口４２での送風温度（出口温度）、便座部１３０の本体部１１０側の縁部における送風温度（便座縁部温度）、肛門近傍の送風温度、臀部の表面温度、肛門近傍の表面温度、温風生成部４４の消費電力、および温風生成部４４の印加電圧の８項目を選定した。
【０１８０】
そして、次の手順で、前記モニター項目を測定しながら、同一の評価者により、条件を変更させて送風温度と温冷感との関係を評価する試験を複数回行った。
【０１８１】
手順は、乾燥運転の開始から送風温度の立ち上がり時間と温冷感との関係を評価するための試験手順である。まず、評価者が便座部１３０に着座し、皮膚温度の初期値が雰囲気温度に適合するように調整した。次に、「おしり洗浄」を行うことにより、実際の洗浄動作による水滴を被乾燥面に付着させた（洗浄水温度３８℃、洗浄水の流量０．５リットル／分で３０秒間の洗浄）。その後、共用ノズル部２０を肛門位置まで突出させてから、エアポンプ５１を動作させ、共用ノズル部２０からエアの噴射の待機状態とした。さらにその後、温風乾燥部４０の運転を開始し、６０秒が経過するか、評価者が熱く感じるか、に至るまで温冷感の評価を行った。
【０１８２】
また、前記手順で変更した条件は次の通りである。まず、前記出口温度の設定を、３０℃、４０℃、５０℃、６０℃、７０℃、および８０℃にそれぞれ変更した。また、温風生成部４４の電力設定を、０Ｗ、５０Ｗ、１００Ｗ、２００Ｗ、および４００Ｗのそれぞれで試験を行った。乾燥運転モードとして、温風の送風のみの場合（第３乾燥運転モード）、温風の送風およびエアの噴射の場合（第１乾燥運転モード）、およびエアの噴射のみの場合（第２乾燥運転モード）を設定し、それぞれについても試験を行った。また、比較として、臀部に対してスプレーで水滴を付着させず、乾燥した状態の実験を行った。さらに、１回の評価試験では、開始直後、５秒後、１０秒後、２０秒後、３０秒後、４０秒後、５０秒後、および６０秒後のそれぞれのタイミングで、温冷感の評価を行った。
【０１８３】
なお、前記いずれの評価試験においても、エアの噴射条件は次の通りである。室温は１８〜２２℃の範囲内であり、温風の風量は０．３ｍ３  ／分であり、エアの流量は１５リットル／分であり、エア噴射口２１の直径は１ｍｍであり、エア噴出口２１から肛門までの距離は３０ｍｍであり、左右方向の揺動角度は±６０°とし、前後方向の往復は１秒間に２往復とした。
【０１８４】
前記の手順で評価した、乾燥運転の開始から送風温度の立ち上がり時間と温冷感との関係を図１４のグラフに示す。図１４の上下のいずれのグラフにおいても、二点鎖線が、温風生成部４４の電力設定が４００Ｗの場合の結果を示し、一点鎖線が、温風生成部４４の電力設定が２００Ｗの場合の結果を示し、長破線が、温風生成部４４の電力設定が１００Ｗの場合の結果を示し、短破線が、温風生成部４４の電力設定が５０Ｗの場合の結果を示す。また、図１４の上側のグラフでは、菱形のマークが、４００Ｗの場合の結果を示し、丸のマークが、温風生成部４４の電力設定が２００Ｗの場合の結果を示し、正の三角形のマークが、温風生成部４４の電力設定が１００Ｗの場合の結果を示し、正方形のマークが、温風生成部４４の電力設定が５０Ｗの場合の結果を示し、逆三角形のマークが、温風生成部４４の電力設定が１００Ｗの場合、すなわち、温風生成部４４が動作していない場合の結果を示す。
【０１８５】
使用者が少なくとも冷たくないと感じる条件としては、温冷感指標−１以上となる条件であるので、図１４に示す結果から、送風温度が５秒（図１４で細い破線）で４０℃以上、１０秒で５０℃以上となる条件が導き出された。
【０１８６】
また、温冷感指標０以上の条件であれば、一般的な使用者の大部分が冷たいと感じないことが想定されるので、より好ましい条件は、送風温度が５秒で５０℃以上、１０秒で６０℃以上、ただし、１０秒以内で７５℃以下となる条件であった。
【０１８７】
このように、本実施形態においては、目標温度における加温値Ｔｗは、少なくとも４０℃以上７５℃以下の範囲内となるように設定されることが特に好ましい。また、起動段階および加温段階がいずれも１０秒以内となり、かつ、起動段階は加温段階よりも短い時間（５秒以内）となるように設定されていることが特に好ましい。また、送風の開始時点から移行段階が終了するまでの時間が４０秒以内となり、かつ、起動段階および加温段階の合計時間が２０秒以内となるように設定されていることが特に好ましい。
【０１８８】
もちろん、これら送風温度および経過時間の条件は、前記範囲内に限定されるものではなく、衛生洗浄装置１０の具体的な構成、設置されるトイレットルームの環境等の諸条件に応じて、図１４等の結果を参照して適宜設定することができる。
【０１８９】
以上のように、本実施形態では、共用ノズル部２０からエアが被乾燥面に噴射される際に、温風乾燥部４０で生成された温風が被乾燥面に吹き付けられており、しかも、この温風は、被乾燥面が濡れた状態であっても使用者が冷たいと感じなくなる温度値（冷感限界値Ｔｃ）以上となるように、目標温度補正処理が行われている。それゆえ、より効率のよい乾燥が可能になるとともに、使用者にとっては冷感をほとんど感じることがなく、良好な使用感を得ることができる。
【０１９０】
なお、本実施形態に係る衛生洗浄装置１０１は、空気噴射部５０がエアポンプ５１を備え、温風乾燥部４０がエアファン４１を備える構成となっているが、本発明は、これに限定されるものではなく、たとえばエアポンプ５１がなくエアファン４１のみで乾燥する衛生洗浄装置であっても、温風生成部４４を備えていれば、本実施形態と同様の構成により同様の効果を得ることができる。
【０１９１】
また、本実施形態では、室温検出部７２によりトイレットルームの室温を検出し、これを被乾燥面近傍の雰囲気温度として利用しているが、これに限定されず、室温検出部７２以外に、便器１０３内部の温度を検出する温度検出部を設け、この温度検出部から得られる温度値を雰囲気温度として利用してもよい。これによって、被乾燥面近傍の雰囲気温度をより正確に検出することができるので、送風温度補正部６３による目標温度補正処理および制御部６０Ａによる温風乾燥部４０の制御を、使用者にとってより快適なものとすることができる。
【０１９２】
（第２実施形態）
本実施形態に係る衛生洗浄装置は、基本的に第１実施形態で説明した衛生洗浄装置１０１と同様の構成を有しているが、共用ノズル部２０におけるノズル揺動部の構成が異なっている。このノズル揺動部の構成について、図１５に基づいて説明する。図１５は、本実施形態に係る衛生洗浄装置が備える、共用ノズル部の構成を示す部分斜視図である。
【０１９３】
図１５に示す揺動ノズル部８０は、上述した第１実施形態のノズル移動機構５２が備えるノズル移動部５７のように、円柱状のノズルを軸方向に回転（自転）させるのではなく、円柱状のノズルの後端を固定し、先端側を振り回すように揺動する構成となっている。
【０１９４】
具体的には、ノズル揺動部８０は、揺動部支持スライダ８３を本体とし、その上面に、ノズル本体２０ｂの後端を固定して支持する円柱状の回転軸部８１と第２駆動モータ５４とが載置されて固定された構成を有しており、軸部８１の側面には、ノズル本体２０ｂの後端との間に、温風乾燥部４０ａにおける温風供給管４３ａの下流部分の一部が接続されており、温風乾燥部４０ａにおける先端部４８ａが軸部８１に形成されている。この先端部４８ａには、温風供給管４４ａが接続されている。また、先端部４８ａには、温風送風口４２ａが、エア噴射口２１及び洗浄水噴出口２２が構成されているノズル本体２０ｂの後端側に形成されている。
【０１９５】
なお、温風乾燥部４０ａから温風送風口４２ａへ供給される温風構造、部品構成は第１実施形態と同様であるので、その説明は省略する。
【０１９６】
また、温風送風口４２ａは、その温風送風口４２ａから出る温風の進行方向が、ノズル本体２０ｂの軸の方向に略平行であり、かつ、エア噴出口２１から噴出される加圧空気の進行方向と交わるように、ノズル本体２０ｂの後端に配置されている。これにより、温風乾燥部４０ａの先端部４８ａに形成された温風送風口４２ａからでる温風は、ノズルの側面に沿って進行し、エア噴出口から噴出される加圧空気（の流れ）に誘引され合流してその進行方向を変えて、加圧空気とともに使用者の局部に向かうことになる。
【０１９７】
また、揺動部支持スライダ８３の下部には、前記実施形態１におけるノズル支持スライダ５８のノズル固定部５８ａと同様に、レール部５６ａ，５６ａの間に挟み込ませ、載置面５６ｃの上を長手方向に沿ってスライドさせるレール嵌合部８３ａが形成されている（図６参照）。なお、揺動部支持スライダ８３の上面のうち、回転軸部８１が載置される部位は、その下側が前記レール嵌合部となっており、第２駆動モータ５４が載置される部位は、載置面５６ｃの上から外れた位置にあり、その下側には、前記のズル支持スライダ５８と同様に、スライダガイド部５７ｂを貫通させるガイド貫通部８３ｂが形成されている。
【０１９８】
回転軸部８１は、揺動部支持スライダ８３の上面の法線方向に軸方向が位置するように設けられる円柱状であり、その外周の一部に前記のようにノズル本体２０ｂの後端が固定されている。また、回転軸部８１の下部の周面には、第２駆動モータ５４の回転軸に取り
付けられている駆動歯車８２とかみ合う外周歯車部８２ａが形成されている。また、回転軸部８１の軸方向の中心は空洞となっており、ここに揺動部支持スライダ８３の上面から垂直に延びる軸心８３ｃが貫通している。なお、ノズル本体２０ｂの内部構造は第１実施形態のノズル本体２０ａと同様であるので、その説明は省略する。
【０１９９】
このノズル揺動部８０とこれに固定されているノズル本体２０ｂは、第１実施形態におけるノズル支持スライダ５８および揺動歯車部５７ａ、並びにノズル本体２０ａに代えて、ノズル支持部５５に設けられる。そして、このノズル揺動部８０においては、第１実施形態におけるノズル移動部５７とは異なり、ノズル本体２０ｂが回転軸部８２に一体的に接続され、このノズル本体２０ｂが、矢印Ｄ４に示すように、回転軸部８１を起点として振り回されるように往復揺動される。したがって、ノズル本体２０ｂの先端が描く軌跡は扇状になる。
【０２００】
ノズル揺動部８０においては、ノズル本体２０ｂが進退移動する構成は第１実施形態におけるノズル移動機構５２と同様であるが、ノズル本体２０ｂを揺動させるための第２駆動モータ５４の回転駆動力は、駆動歯車８２および外周歯車部８１ａを介して回転軸部８２に伝達されるので、第１実施形態のようにノズル本体２０ａを自転させて先端部を揺動させるのではなく、ノズル本体２０ｂを所定の角度まで振り回して揺動させることになる。
【０２０１】
前記構成によれば、エア噴出口２１からのエアの噴流は、被乾燥面に対してほぼ垂直を保持して噴出させることができる。それゆえ、被乾燥面に付着する水滴を被乾燥面から剥離する作用を向上させることができる。また、エアが被乾燥面に当たったときに生じる、水滴を被乾燥面の外側に移動させようとする作用についても、より一層抑制することができる。それゆえ、第１実施形態における空気噴射第１ステップから第４ステップまでの水滴集中工程をより効率的に行うことができる。
【０２０２】
さらに、第１実施形態のようにノズル本体２０ａを自転させずに、ノズル本体２０ｂを振り回すように移動させるため、ノズル本体２０ｂの先端部を揺動させてエアの噴流を左右に移動させても、被乾燥面に噴流が当たるまでの距離が大きく離れることがない。それゆえ、流速の大きい噴流を被乾燥面に当てることが可能となり、水滴を除去する能力をさらに一層向上することができる。
【産業上の利用可能性】
【０２０３】
本発明に係る衛生洗浄装置は、局部等の洗浄後、エアを噴射して水滴を除去するとともに、温風を送風して乾燥する乾燥機構を備える衛生洗浄装置の分野において極めて有用な発明である。
【符号の説明】
【０２０４】
２０  共用ノズル部（乾燥ノズル、洗浄ノズル）
２０ａ  ノズル本体
２０ｂ  ノズル本体
２１  エア噴射口（空気噴射口）
２２  洗浄水噴出口
３０  洗浄水噴出部
４０  温風乾燥部
４１  エアファン（送風器）
４２  温風送風口
４２ａ  温風送風口
４３  温風供給管（温風加熱器）
４４  温風生成部
４４ａ  温風供給管
４８  先端部
４８ａ先端部
５０  空気噴射部
５２  ノズル移動機構（乾燥ノズル移動機構、洗浄ノズル移動機構）
６０Ａ  制御部（制御器）
６０Ｂ  制御部（制御器）
６１  演算部（制御器）
６２  記憶部
６３  送風温度補正部（送風温度補正器）
６４  余熱判定部（余熱判定器）
６４ａ  停止経過時間判定部（余熱判定器）
６４ｂ  ヒータ余熱温度判定部（余熱判定器）
７２  室温検出部（雰囲気温度検出器）
７５  面温度検出部（被乾燥面温度検出器）
７６  送風温度検出部（送風温度検出器）
７７  暦情報生成部（暦情報生成器）
１０１  衛生洗浄装置
１３０  便座部
【図４】
2011074575.tif 000003
【図５】
2011074575.tif 000004
【図６】
2011074575.tif 000005
【図８】
2011074575.tif 000006
【図１０】
2011074575.tif 000007
【図１１】
2011074575.tif 000008
【図１２】
2011074575.tif 000009
【図１３】
2011074575.tif 000010
【図１５】
2011074575.tif 000011
【図１７】
2011074575.tif 000012
【図１】
2011074575.tif 000013
【図２】
2011074575.tif 000014
【図３】
2011074575.tif 000015
【図７】
2011074575.tif 000016
【図９】
2011074575.tif 000017
【図１４】
2011074575.tif 000018
【図１６】
2011074575.tif 000019
【図１８】
2011074575.tif 000020
【図１９】
2011074575.tif 000021